(57)【特許請求の範囲】
【請求項１】
ワイヤレス通信のための装置において、
未使用の周波数スペクトルのマップの現在のバージョンを示すフィールドを持つメッセージが到来する時間の表示を含むビーコンフレームを受信するように構成され、前記時間に基づいて、未使用の周波数スペクトルのマップの現在のバージョンを示すフィールドを持つメッセージを受信するように構成されており、前記未使用の周波数スペクトルのマップは、前記ワイヤレス通信に対して使用可能なチャネルを示す受信機と、
前記未使用の周波数スペクトルのマップの前記現在のバージョンが、前記未使用の周波数スペクトルのマップの前のバージョンと異なるか否かを決定し、前記決定に基づいて、前記ワイヤレス通信のためのチャネルを使用するように構成されている処理システムとを具備し、
前記メッセージは、
前記メッセージがコンタクト確認信号（ＣＶＳ）であることの表示、
前記未使用の周波数スペクトルのマップの前記現在のバージョンを示す前記フィールドの長さを示す長さフィールド、
ビーコンフレームまたはブロードキャスト管理フレーム、あるいは、
前記メッセージがパブリックアクションメッセージであることを示す第１のフィールド、または、前記メッセージが前記未使用の周波数スペクトルのマップの前記現在のバージョンを示す前記第１のフィールドを含むことを示す第２のフィールドのうちの少なくとも１つを持つフレームのうちの少なくとも１つを含み、
前記表示は、情報エレメント（ＩＥ）識別子（ＩＤ）を有し、
前記ビーコンフレームまたは前記ブロードキャスト管理フレームは、管理メッセージインテグリティチェック（ＭＩＣ）情報エレメント（ＭＭＩＥ）を有する装置。
【請求項２】
前記前のバージョンは、前記装置のイネーブルメントの間に受信された前記未使用の周波数スペクトルのマップのバージョンを含む請求項１に記載の装置。
【請求項３】
前記未使用の周波数スペクトルのマップの前記現在のバージョンが、前記未使用の周波数スペクトルのマップの前記前のバージョンと異なる場合、更新された未使用の周波数スペクトルのマップに対する要求メッセージを送信するように構成されている送信機をさらに具備する請求項１に記載の装置。
【請求項４】
前記要求メッセージは、
前記装置のアドレス、イネーブリング装置のアドレス、イネーブルメント識別子（ＩＤ）、または、前記装置の現在の動作チャネルを示すフィールドのうちの少なくとも１つ、
登録ロケーションクエリプロトコル（ＲＬＱＰ）メッセージ、あるいは、
前記要求メッセージがパブリックアクションメッセージであることを示すカテゴリフィールド、または、前記要求メッセージが前記更新された未使用の周波数スペクトルのマップを要求するためのものであることを示すアクションフィールドのうちの少なくとも１つを含み、
前記ＲＬＱＰメッセージは、前記要求メッセージが前記更新された未使用の周波数スペクトルのマップを要求するためのものであることを示す情報ＩＤフィールド、または、前記要求メッセージの残りの部分の長さを示す長さフィールドのうちの少なくとも１つを有する請求項３に記載の装置。
【請求項５】
前記要求メッセージは、前記装置のアドレス、イネーブリング装置のアドレス、イネーブルメント識別子（ＩＤ）、または、前記装置の現在の動作チャネルを示すフィールドのうちの少なくとも１つを含み、
前記受信機は、前記更新された未使用の周波数スペクトルのマップを持つ応答メッセージを受信するように構成されており、
前記更新された未使用の周波数スペクトルのマップは、前記装置の前記現在の動作チャネルが依然として利用可能である場合に、前記現在の動作チャネルを含み、
前記装置は、前記受信した更新された未使用の周波数スペクトルのマップに基づいて、前記ワイヤレス通信に対して前記現在の動作チャネルを使用し続ける請求項３に記載の装置。
【請求項６】
前記受信機は、応答メッセージを受信するように構成され、
前記応答メッセージは、
前記更新された未使用の周波数スペクトルのマップと、
前記応答メッセージが前記更新された未使用の周波数スペクトルのマップに対する前記要求メッセージに応答するものであることを示す情報識別子（ＩＤ）フィールド、前記応答メッセージの残りの部分の長さを示す長さフィールド、前記応答メッセージがパブリックアクションメッセージであることを示すカテゴリフィールド、前記応答メッセージが前記更新された未使用の周波数スペクトルのマップに対する前記要求メッセージに応答するものであることを示すアクションフィールド、前記装置のアドレス、イネーブリング装置のアドレス、または、イネーブルメントＩＤのうちの少なくとも１つと
を含む請求項３に記載の装置。
【請求項７】
前記未使用の周波数スペクトルのマップの前記現在のバージョンが、前記未使用の周波数スペクトルのマップの前記前のバージョンと異なる場合、リイネーブルメントに対する要求メッセージをイネーブリング装置に送信するように構成されている送信機をさらに具備する請求項１に記載の装置。
【請求項８】
前記未使用の周波数スペクトルのマップの前記現在のバージョンが、前記未使用の周波数スペクトルのマップの前記前のバージョンと同じものである場合、前記装置は、前記ワイヤレス通信に対して使用可能なチャネルのうちの１つを使用する請求項１に記載の装置。
【請求項９】
ワイヤレス通信のための方法において、
装置において、未使用の周波数スペクトルのマップの現在のバージョンを示すフィールドを持つメッセージが到来する時間の表示を含むビーコンフレームを受信し、前記時間に基づいて、未使用の周波数スペクトルのマップの現在のバージョンを示すフィールドを持つメッセージを受信し、前記未使用の周波数スペクトルのマップは、前記ワイヤレス通信に対して使用可能なチャネルを示すことと、
前記未使用の周波数スペクトルのマップの前記現在のバージョンが、前記未使用の周波数スペクトルのマップの前のバージョンと異なるか否かを決定することと、
前記決定に基づいて、前記ワイヤレス通信のためのチャネルを使用することとを含み、
前記メッセージは、
前記メッセージがコンタクト確認信号（ＣＶＳ）であることの表示、
前記未使用の周波数スペクトルのマップの前記現在のバージョンを示す前記フィールドの長さを示す長さフィールド、
ビーコンフレームまたはブロードキャスト管理フレーム、あるいは、
前記メッセージがパブリックアクションメッセージであることを示す第１のフィールド、または、前記メッセージが前記未使用の周波数スペクトルのマップの前記現在のバージョンを示す前記第１のフィールドを含むことを示す第２のフィールドのうちの少なくとも１つを持つフレームのうちの少なくとも１つを含み、
前記表示は、情報エレメント（ＩＥ）識別子（ＩＤ）を有し、
前記ビーコンフレームまたは前記ブロードキャスト管理フレームは、管理メッセージインテグリティチェック（ＭＩＣ）情報エレメント（ＭＭＩＥ）を有する方法。
【請求項１０】
前記前のバージョンは、前記装置のイネーブルメントの間に受信された前記未使用の周波数スペクトルのマップのバージョンを含む請求項９に記載の方法。
【請求項１１】
前記未使用の周波数スペクトルのマップの前記現在のバージョンが、前記未使用の周波数スペクトルのマップの前記前のバージョンと異なる場合、更新された未使用の周波数スペクトルのマップに対する要求メッセージを送信することをさらに含む請求項９に記載の方法。
【請求項１２】
前記更新された未使用の周波数スペクトルのマップを持つ応答メッセージを受信することをさらに含み、
前記要求メッセージは、前記装置のアドレス、イネーブリング装置のアドレス、イネーブルメント識別子（ＩＤ）、または、前記装置の現在の動作チャネルを示すフィールドのうちの少なくとも１つを含み、
前記更新された未使用の周波数スペクトルのマップは、前記装置の前記現在の動作チャネルが依然として利用可能である場合に、前記現在の動作チャネルを含み、
前記装置は、前記受信した更新された未使用の周波数スペクトルのマップに基づいて、前記ワイヤレス通信に対して前記現在の動作チャネルを使用し続ける請求項１１に記載の方法。
【請求項１３】
応答メッセージを受信することをさらに含み、
前記応答メッセージは、
前記更新された未使用の周波数スペクトルのマップと、
前記応答メッセージが前記更新された未使用の周波数スペクトルのマップに対する前記要求メッセージに応答するものであることを示す情報識別子（ＩＤ）フィールド、前記応答メッセージの残りの部分の長さを示す長さフィールド、前記応答メッセージがパブリックアクションメッセージであることを示すカテゴリフィールド、前記応答メッセージが前記更新された未使用の周波数スペクトルのマップに対する前記要求メッセージに応答するものであることを示すアクションフィールド、前記装置のアドレス、イネーブリング装置のアドレス、または、イネーブルメントＩＤのうちの少なくとも１つと
を含む請求項１１に記載の方法。
【請求項１４】
前記未使用の周波数スペクトルのマップの前記現在のバージョンが、前記未使用の周波数スペクトルのマップの前記前のバージョンと異なる場合、リイネーブルメントに対する要求メッセージをイネーブリング装置に送信することをさらに含む請求項９に記載の方法。
【請求項１５】
前記未使用の周波数スペクトルのマップの前記現在のバージョンが、前記未使用の周波数スペクトルのマップの前記前のバージョンと同じものである場合、前記装置は、前記ワイヤレス通信に対して使用可能なチャネルのうちの１つを使用する請求項９に記載の方法。
【請求項１６】
ワイヤレス通信のための装置において、
使用の周波数スペクトルのマップの現在のバージョンを示すフィールドを持つメッセージが到来する時間の表示を含むビーコンフレームを受信し、前記時間に基づいて、未使用の周波数スペクトルのマップの現在のバージョンを示すフィールドを持つメッセージを受信し、前記未使用の周波数スペクトルのマップは、前記ワイヤレス通信に対して使用可能なチャネルを示す手段と、
前記未使用の周波数スペクトルのマップの前記現在のバージョンが、前記未使用の周波数スペクトルのマップの前のバージョンと異なるか否かを決定する手段と、
前記決定に基づいて、前記ワイヤレス通信のためのチャネルを使用する手段とを具備し、
前記メッセージは、
前記メッセージがコンタクト確認信号（ＣＶＳ）であることの表示、
前記未使用の周波数スペクトルのマップの前記現在のバージョンを示す前記フィールドの長さを示す長さフィールド、
ビーコンフレームまたはブロードキャスト管理フレーム、あるいは、
前記メッセージがパブリックアクションメッセージであることを示す第１のフィールド、または、前記メッセージが前記未使用の周波数スペクトルのマップの前記現在のバージョンを示す前記第１のフィールドを含むことを示す第２のフィールドのうちの少なくとも１つを持つフレームのうちの少なくとも１つを含み、
前記表示は、情報エレメント（ＩＥ）識別子（ＩＤ）を有し、
前記ビーコンフレームまたは前記ブロードキャスト管理フレームは、管理メッセージインテグリティチェック（ＭＩＣ）情報エレメント（ＭＭＩＥ）を有する装置。
【請求項１７】
前記前のバージョンは、前記装置のイネーブルメントの間に受信された前記未使用の周波数スペクトルのマップのバージョンを含む請求項１６に記載の装置。
【請求項１８】
前記未使用の周波数スペクトルのマップの前記現在のバージョンが、前記未使用の周波数スペクトルのマップの前記前のバージョンと異なる場合、更新された未使用の周波数スペクトルのマップに対する要求メッセージを送信する手段をさらに具備する請求項１６に記載の装置。
【請求項１９】
前記要求メッセージは、
前記装置のアドレス、イネーブリング装置のアドレス、イネーブルメント識別子（ＩＤ）、または、前記装置の現在の動作チャネルを示すフィールドのうちの少なくとも１つ、
登録ロケーションクエリプロトコル（ＲＬＱＰ）メッセージ、あるいは、
前記要求メッセージがパブリックアクションメッセージであることを示すカテゴリフィールド、または、前記要求メッセージが前記更新された未使用の周波数スペクトルのマップを要求するためのものであることを示すアクションフィールドのうちの少なくとも１つを含み、
前記ＲＬＱＰメッセージは、前記要求メッセージが前記更新された未使用の周波数スペクトルのマップを要求するためのものであることを示す情報ＩＤフィールド、または、前記要求メッセージの残りの部分の長さを示す長さフィールドのうちの少なくとも１つを有する請求項１８に記載の装置。
【請求項２０】
前記要求メッセージは、前記装置のアドレス、イネーブリング装置のアドレス、イネーブルメント識別子（ＩＤ）、または、前記装置の現在の動作チャネルを示すフィールドのうちの少なくとも１つを含み、
前記受信する手段は、前記更新された未使用の周波数スペクトルのマップを持つ応答メッセージを受信するように構成されており、
前記更新された未使用の周波数スペクトルのマップは、前記装置の前記現在の動作チャネルが依然として利用可能である場合に、前記現在の動作チャネルを含み、
前記装置は、前記受信した更新された未使用の周波数スペクトルのマップに基づいて、前記ワイヤレス通信に対して前記現在の動作チャネルを使用し続ける請求項１８に記載の装置。
【請求項２１】
前記受信する手段は、応答メッセージを受信するように構成され、
前記応答メッセージは、
前記更新された未使用の周波数スペクトルのマップと、
前記応答メッセージが前記更新された未使用の周波数スペクトルのマップに対する前記要求メッセージに応答するものであることを示す情報識別子（ＩＤ）フィールド、前記応答メッセージの残りの部分の長さを示す長さフィールド、前記応答メッセージがパブリックアクションメッセージであることを示すカテゴリフィールド、前記応答メッセージが前記更新された未使用の周波数スペクトルのマップに対する前記要求メッセージに応答するものであることを示すアクションフィールド、前記装置のアドレス、イネーブリング装置のアドレス、または、イネーブルメントＩＤのうちの少なくとも１つと
を含む請求項１８に記載の装置。
【請求項２２】
前記未使用の周波数スペクトルのマップの前記現在のバージョンが、前記未使用の周波数スペクトルのマップの前記前のバージョンと異なる場合、リイネーブルメントに対する要求メッセージをイネーブリング装置に送信する手段をさらに具備する請求項１６に記載の装置。
【請求項２３】
前記未使用の周波数スペクトルのマップの前記現在のバージョンが、前記未使用の周波数スペクトルのマップの前記前のバージョンと同じものである場合、前記装置は、前記ワイヤレス通信に対して使用可能なチャネルのうちの１つを使用する請求項１６に記載の装置。
【請求項２４】
ワイヤレス通信のためのコンピュータプログラムを記憶したコンピュータ読み取り可能記憶媒体において、
前記コンピュータプログラムは、
装置において、使用の周波数スペクトルのマップの現在のバージョンを示すフィールドを持つメッセージが到来する時間の表示を含むビーコンフレームを受信し、前記時間に基づいて、未使用の周波数スペクトルのマップの現在のバージョンを示すフィールドを持つメッセージを受信するために実行可能であり、前記未使用の周波数スペクトルのマップは、前記ワイヤレス通信に対して使用可能なチャネルを示す命令と、
前記未使用の周波数スペクトルのマップの前記現在のバージョンが、前記未使用の周波数スペクトルのマップの前のバージョンと異なるか否かを決定するために実行可能な命令と、
前記決定に基づいて、前記ワイヤレス通信のためのチャネルを使用するために実行可能な命令とを含み、
前記メッセージは、
前記メッセージがコンタクト確認信号（ＣＶＳ）であることの表示、
前記未使用の周波数スペクトルのマップの前記現在のバージョンを示す前記フィールドの長さを示す長さフィールド、
ビーコンフレームまたはブロードキャスト管理フレーム、あるいは、
前記メッセージがパブリックアクションメッセージであることを示す第１のフィールド、または、前記メッセージが前記未使用の周波数スペクトルのマップの前記現在のバージョンを示す前記第１のフィールドを含むことを示す第２のフィールドのうちの少なくとも１つを持つフレームのうちの少なくとも１つを含み、
前記表示は、情報エレメント（ＩＥ）識別子（ＩＤ）を有し、
前記ビーコンフレームまたは前記ブロードキャスト管理フレームは、管理メッセージインテグリティチェック（ＭＩＣ）情報エレメント（ＭＭＩＥ）を有するコンピュータ読み取り可能記憶媒体。
【請求項２５】
ワイヤレスノードにおいて、
少なくとも１本のアンテナと
使用の周波数スペクトルのマップの現在のバージョンを示すフィールドを持つメッセージが到来する時間の表示を含むビーコンフレームを受信し、前記時間に基づいて、前記少なくとも１本のアンテナを介して、未使用の周波数スペクトルのマップの現在のバージョンを示すフィールドを持つメッセージを受信するように構成されており、前記未使用の周波数スペクトルのマップは、前記ワイヤレス通信に対して使用可能なチャネルを示す受信機と、
前記未使用の周波数スペクトルのマップの前記現在のバージョンが、前記未使用の周波数スペクトルのマップの前のバージョンと異なるか否かを決定し、前記決定に基づいて、前記ワイヤレス通信のためのチャネルを使用するように構成されている処理システムとを具備し、
前記メッセージは、
前記メッセージがコンタクト確認信号（ＣＶＳ）であることの表示、
前記未使用の周波数スペクトルのマップの前記現在のバージョンを示す前記フィールドの長さを示す長さフィールド、
ビーコンフレームまたはブロードキャスト管理フレーム、あるいは、
前記メッセージがパブリックアクションメッセージであることを示す第１のフィールド、または、前記メッセージが前記未使用の周波数スペクトルのマップの前記現在のバージョンを示す前記第１のフィールドを含むことを示す第２のフィールドのうちの少なくとも１つを持つフレームのうちの少なくとも１つを含み、
前記表示は、情報エレメント（ＩＥ）識別子（ＩＤ）を有し、
前記ビーコンフレームまたは前記ブロードキャスト管理フレームは、管理メッセージインテグリティチェック（ＭＩＣ）情報エレメント（ＭＭＩＥ）を有するワイヤレスノード。
【請求項２６】
ワイヤレス通信のための第１の装置において、
未使用の周波数スペクトルのマップのバージョンを決定するように構成されており、前記未使用の周波数スペクトルのマップは、前記ワイヤレス通信に対して使用可能なチャネルを示す処理システムと、
前記未使用の周波数スペクトルのマップのバージョンを示すフィールドを持つメッセージを送信するように構成されている送信機とを具備し、
前記送信機は、前記メッセージが到来する時間の表示をビーコンフレーム上で送信するようにさらに構成され、
前記メッセージは、
前記メッセージがコンタクト確認信号（ＣＶＳ）であることの表示、
前記未使用の周波数スペクトルのマップの前記現在のバージョンを示す前記フィールドの長さを示す長さフィールド、
ビーコンフレームまたはブロードキャスト管理フレーム、あるいは、
前記メッセージがパブリックアクションメッセージであることを示す第１のフィールド、または、前記メッセージが前記未使用の周波数スペクトルのマップの前記現在のバージョンを示す前記第１のフィールドを含むことを示す第２のフィールドのうちの少なくとも１つを持つフレームのうちの少なくとも１つを含み、
前記表示は、情報エレメント（ＩＥ）識別子（ＩＤ）を有し、
前記ビーコンフレームまたは前記ブロードキャスト管理フレームは、管理メッセージインテグリティチェック（ＭＩＣ）情報エレメント（ＭＭＩＥ）を有する第１の装置。
【請求項２７】
前記未使用の周波数スペクトルのマップは、テレビジョンホワイトスペース（ＴＶＷＳ）における前記使用可能なチャネルを示す請求項２６に記載の第１の装置。
【請求項２８】
更新された未使用の周波数スペクトルのマップに対する要求メッセージを受信するように構成されている受信機をさらに具備し、
前記要求メッセージは、
前記要求メッセージを送信した第２の装置のアドレス、前記第１の装置のアドレス、イネーブルメント識別子（ＩＤ）、または、前記第２の装置の現在の動作チャネルを示すフィールドのうちの少なくとも１つ、
登録ロケーションクエリプロトコル（ＲＬＱＰ）メッセージ、あるいは、
前記要求メッセージがパブリックアクションメッセージであることを示すカテゴリフィールド、または、前記要求メッセージが前記更新された未使用の周波数スペクトルのマップを要求するためのものであることを示すアクションフィールドのうちの少なくとも１つを含み、
前記ＲＬＱＰメッセージは、前記要求メッセージが前記更新された未使用の周波数スペクトルのマップを要求するためのものであることを示す情報ＩＤフィールド、または、前記要求メッセージの残りの部分の長さを示す長さフィールドのうちの少なくとも１つを有する請求項２６に記載の第１の装置。
【請求項２９】
更新された未使用の周波数スペクトルのマップに対する要求メッセージを受信するように構成されている受信機をさらに具備し、
前記送信機は、応答メッセージを送信するように構成され、
前記応答メッセージは、
前記更新された未使用の周波数スペクトルのマップと、
前記応答メッセージが前記更新された未使用の周波数スペクトルのマップに対する前記要求メッセージに応答するものであることを示す情報識別子（ＩＤ）フィールド、前記応答メッセージの残りの部分の長さを示す長さフィールド、前記要求メッセージを送信した第２の装置のアドレス、前記第１の装置のアドレス、または、イネーブルメントＩＤのうちの少なくとも１つと
を含む請求項２６に記載の第１の装置。
【請求項３０】
更新された未使用の周波数スペクトルのマップに対する要求メッセージを受信するように構成されている受信機をさらに具備し、
前記送信機は、応答メッセージを送信するように構成され、
前記応答メッセージは、
前記更新された未使用の周波数スペクトルのマップと、
前記要求メッセージがパブリックアクションメッセージであることを示すカテゴリフィールド、前記応答メッセージが前記更新された未使用の周波数スペクトルのマップに対する前記要求メッセージに応答するものであることを示すアクションフィールド、前記第１の装置のアドレス、イネーブリング装置のアドレス、または、イネーブルメント識別子（ＩＤ）のうちの少なくとも１つと
を含む請求項２６に記載の第１の装置。
【請求項３１】
前記第１の装置へのリイネーブルメントに対する要求メッセージを第２の装置から受信するように構成されている受信機をさらに具備する請求項２６に記載の第１の装置。
【請求項３２】
前記送信機は、前記ＭＭＩＥ、および、前記未使用の周波数スペクトルのマップのバージョンを示す前記フィールドが到来する時間の表示を含む前記ビーコンフレームを送信するように構成されている請求項２６に記載の第１の装置。
【請求項３３】
ワイヤレス通信のための方法において、
未使用の周波数スペクトルのマップのバージョンを第１の装置において決定し、前記未使用の周波数スペクトルのマップは、前記ワイヤレス通信に対して使用可能なチャネルを示すことと、
前記未使用の周波数スペクトルのマップのバージョンを示すフィールドを持つメッセージを送信することと、
前記メッセージが到来する時間の表示をビーコンフレーム上で送信することとを含み、
前記メッセージは、
前記メッセージがコンタクト確認信号（ＣＶＳ）であることの表示、
前記未使用の周波数スペクトルのマップの前記現在のバージョンを示す前記フィールドの長さを示す長さフィールド、
ビーコンフレームまたはブロードキャスト管理フレーム、あるいは、
前記メッセージがパブリックアクションメッセージであることを示す第１のフィールド、または、前記メッセージが前記未使用の周波数スペクトルのマップの前記現在のバージョンを示す前記第１のフィールドを含むことを示す第２のフィールドのうちの少なくとも１つを持つフレームのうちの少なくとも１つを含み、
前記表示は、情報エレメント（ＩＥ）識別子（ＩＤ）を有し、
前記ビーコンフレームまたは前記ブロードキャスト管理フレームは、管理メッセージインテグリティチェック（ＭＩＣ）情報エレメント（ＭＭＩＥ）を有する方法。
【請求項３４】
前記未使用の周波数スペクトルのマップは、テレビジョンホワイトスペース（ＴＶＷＳ）における前記使用可能なチャネルを示す請求項３３に記載の方法。
【請求項３５】
更新された未使用の周波数スペクトルのマップに対する要求メッセージを受信することをさらに含み、
前記要求メッセージは、
前記要求メッセージを送信した第２の装置のアドレス、前記第１の装置のアドレス、イネーブルメント識別子（ＩＤ）、または、前記第２の装置の現在の動作チャネルを示すフィールドのうちの少なくとも１つ、
登録ロケーションクエリプロトコル（ＲＬＱＰ）メッセージ、あるいは、
前記要求メッセージがパブリックアクションメッセージであることを示すカテゴリフィールド、または、前記要求メッセージが前記更新された未使用の周波数スペクトルのマップを要求するためのものであることを示すアクションフィールドのうちの少なくとも１つを含み、
前記ＲＬＱＰメッセージは、前記要求メッセージが前記更新された未使用の周波数スペクトルのマップを要求するためのものであることを示す情報ＩＤフィールド、または、前記要求メッセージの残りの部分の長さを示す長さフィールドのうちの少なくとも１つを有する請求項３３に記載の方法。
【請求項３６】
更新された未使用の周波数スペクトルのマップに対する要求メッセージを受信することと、
応答メッセージを送信することとをさらに含み、
前記応答メッセージは、
前記更新された未使用の周波数スペクトルのマップと、
前記応答メッセージが前記更新された未使用の周波数スペクトルのマップに対する前記要求メッセージに応答するものであることを示す情報識別子（ＩＤ）フィールド、前記応答メッセージの残りの部分の長さを示す長さフィールド、前記要求メッセージを送信した第２の装置のアドレス、前記第１の装置のアドレス、または、イネーブルメントＩＤのうちの少なくとも１つと
を含む請求項３３に記載の方法。
【請求項３７】
更新された未使用の周波数スペクトルのマップに対する要求メッセージを受信することと、
応答メッセージを送信することとをさらに含み、
前記応答メッセージは、
前記更新された未使用の周波数スペクトルのマップと、
前記要求メッセージがパブリックアクションメッセージであることを示すカテゴリフィールド、前記応答メッセージが前記更新された未使用の周波数スペクトルのマップに対する前記要求メッセージに応答するものであることを示すアクションフィールド、前記第１の装置のアドレス、イネーブリング装置のアドレス、または、イネーブルメント識別子（ＩＤ）のうちの少なくとも１つと
を含む請求項３３に記載の方法。
【請求項３８】
前記第１の装置へのリイネーブルメントに対する要求メッセージを従属装置から受信することをさらに含む請求項３３に記載の方法。
【請求項３９】
前記ＭＭＩＥ、および、前記未使用の周波数スペクトルのマップのバージョンを示す前記フィールドが到来する時間の表示を含む前記ビーコンフレームを送信することをさらに含む請求項３３に記載の方法。
【請求項４０】
ワイヤレス通信のための第１の装置において、
未使用の周波数スペクトルのマップのバージョンを決定し、前記未使用の周波数スペクトルのマップは、前記ワイヤレス通信に対して使用可能なチャネルを示す手段と、
前記未使用の周波数スペクトルのマップのバージョンを示すフィールドを持つメッセージを送信する手段と、
前記メッセージが到来する時間の表示をビーコンフレーム上で送信する手段とを具備し、
前記メッセージは、
前記メッセージがコンタクト確認信号（ＣＶＳ）であることの表示、
前記未使用の周波数スペクトルのマップの前記現在のバージョンを示す前記フィールドの長さを示す長さフィールド、
ビーコンフレームまたはブロードキャスト管理フレーム、あるいは、
前記メッセージがパブリックアクションメッセージであることを示す第１のフィールド、または、前記メッセージが前記未使用の周波数スペクトルのマップの前記現在のバージョンを示す前記第１のフィールドを含むことを示す第２のフィールドのうちの少なくとも１つを持つフレームのうちの少なくとも１つを含み、
前記表示は、情報エレメント（ＩＥ）識別子（ＩＤ）を有し、
前記ビーコンフレームまたは前記ブロードキャスト管理フレームは、管理メッセージインテグリティチェック（ＭＩＣ）情報エレメント（ＭＭＩＥ）を有する第１の装置。
【請求項４１】
前記未使用の周波数スペクトルのマップは、テレビジョンホワイトスペース（ＴＶＷＳ）における前記使用可能なチャネルを示す請求項４０に記載の第１の装置。
【請求項４２】
更新された未使用の周波数スペクトルのマップに対する要求メッセージを受信する手段をさらに具備し、
前記要求メッセージは、
前記要求メッセージを送信した第２の装置のアドレス、前記第１の装置のアドレス、イネーブルメント識別子（ＩＤ）、または、前記第２の装置の現在の動作チャネルを示すフィールドのうちの少なくとも１つ、
登録ロケーションクエリプロトコル（ＲＬＱＰ）メッセージ、あるいは、
前記要求メッセージがパブリックアクションメッセージであることを示すカテゴリフィールド、または、前記要求メッセージが前記更新された未使用の周波数スペクトルのマップを要求するためのものであることを示すアクションフィールドのうちの少なくとも１つを含み、
前記ＲＬＱＰメッセージは、前記要求メッセージが前記更新された未使用の周波数スペクトルのマップを要求するためのものであることを示す情報ＩＤフィールド、または、前記要求メッセージの残りの部分の長さを示す長さフィールドのうちの少なくとも１つを有する請求項４０に記載の第１の装置。
【請求項４３】
更新された未使用の周波数スペクトルのマップに対する要求メッセージを受信する手段をさらに具備し、
前記送信する手段は、応答メッセージを送信するように構成され、
前記応答メッセージは、
前記更新された未使用の周波数スペクトルのマップと、
前記応答メッセージが前記更新された未使用の周波数スペクトルのマップに対する前記要求メッセージに応答するものであることを示す情報識別子（ＩＤ）フィールド、前記応答メッセージの残りの部分の長さを示す長さフィールド、前記要求メッセージを送信した第２の装置のアドレス、前記第１の装置のアドレス、または、イネーブルメントＩＤのうちの少なくとも１つと
を含む請求項４０に記載の第１の装置。
【請求項４４】
更新された未使用の周波数スペクトルのマップに対する要求メッセージを受信する手段をさらに具備し、
前記送信する手段は、応答メッセージを送信するように構成され、
前記応答メッセージは、
前記更新された未使用の周波数スペクトルのマップと、
前記要求メッセージがパブリックアクションメッセージであることを示すカテゴリフィールド、前記応答メッセージが前記更新された未使用の周波数スペクトルのマップに対する前記要求メッセージに応答するものであることを示すアクションフィールド、前記第１の装置のアドレス、イネーブリング装置のアドレス、または、イネーブルメント識別子（ＩＤ）のうちの少なくとも１つとを含む請求項４０に記載の第１の装置。
【請求項４５】
前記第１の装置へのリイネーブルメントに対する要求メッセージを第２の装置から受信する手段をさらに具備する請求項４０に記載の第１の装置。
【請求項４６】
前記送信する手段は、前記ＭＭＩＥ、および、前記未使用の周波数スペクトルのマップのバージョンを示す前記フィールドが到来する時間の表示を含む前記ビーコンフレームを送信するように構成されている請求項４０に記載の第１の装置。
【請求項４７】
ワイヤレス通信のためのコンピュータプログラムを記憶したコンピュータ読み取り可能記憶媒体において、
前記コンピュータプログラムは、
未使用の周波数スペクトルのマップのバージョンを装置において決定するために実行可能であり、前記未使用の周波数スペクトルのマップは、前記ワイヤレス通信に対して使用可能なチャネルを示す命令と、
前記未使用の周波数スペクトルのマップのバージョンを示すフィールドを持つメッセージを送信するために実行可能な命令と、
前記メッセージが到来する時間の表示をビーコンフレーム上で送信するために実行可能な命令とを含み、
前記メッセージは、
前記メッセージがコンタクト確認信号（ＣＶＳ）であることの表示、
前記未使用の周波数スペクトルのマップの前記現在のバージョンを示す前記フィールドの長さを示す長さフィールド、
ビーコンフレームまたはブロードキャスト管理フレーム、あるいは、
前記メッセージがパブリックアクションメッセージであることを示す第１のフィールド、または、前記メッセージが前記未使用の周波数スペクトルのマップの前記現在のバージョンを示す前記第１のフィールドを含むことを示す第２のフィールドのうちの少なくとも１つを持つフレームのうちの少なくとも１つを含み、
前記表示は、情報エレメント（ＩＥ）識別子（ＩＤ）を有し、
前記ビーコンフレームまたは前記ブロードキャスト管理フレームは、管理メッセージインテグリティチェック（ＭＩＣ）情報エレメント（ＭＭＩＥ）を有するコンピュータ読み取り可能記憶媒体。
【請求項４８】
アクセスポイントにおいて、
少なくとも１本のアンテナと、
未使用の周波数スペクトルのマップのバージョンを決定するように構成されており、前記未使用の周波数スペクトルのマップは、前記ワイヤレス通信に対して使用可能なチャネルを示す処理システムと、
前記少なくとも１本のアンテナを介して、前記未使用の周波数スペクトルのマップのバージョンを示すフィールドを持つメッセージを送信するように構成されている送信機とを具備し、
前記送信機は、前記メッセージが到来する時間の表示をビーコンフレーム上で送信するようにさらに構成され、
前記メッセージは、
前記メッセージがコンタクト確認信号（ＣＶＳ）であることの表示、
前記未使用の周波数スペクトルのマップの前記現在のバージョンを示す前記フィールドの長さを示す長さフィールド、
ビーコンフレームまたはブロードキャスト管理フレーム、あるいは、
前記メッセージがパブリックアクションメッセージであることを示す第１のフィールド、または、前記メッセージが前記未使用の周波数スペクトルのマップの前記現在のバージョンを示す前記第１のフィールドを含むことを示す第２のフィールドのうちの少なくとも１つを持つフレームのうちの少なくとも１つを含み、
前記表示は、情報エレメント（ＩＥ）識別子（ＩＤ）を有し、
前記ビーコンフレームまたは前記ブロードキャスト管理フレームは、管理メッセージインテグリティチェック（ＭＩＣ）情報エレメント（ＭＭＩＥ）を有するアクセスポイント。
【発明の詳細な説明】
【関連出願への相互参照】
【０００１】
本出願は、２０１０年１１月２日に出願された米国仮特許出願シリアル番号６１／４０９，２１５（代理人ドケット番号１０３２９４Ｐ１）と、２０１０年１１月５日に出願された米国仮特許出願シリアル番号６１／４１０，６３１（代理人ドケット番号１０３２９４Ｐ２）との利益を主張し、これらの双方は、参照によりここに組み込まれている。
【分野】
【０００２】
本開示のある特定の態様は、一般的に、ワイヤレス通信に関し、より詳細には、テレビジョンホワイトスペース（ＴＶＷＳ）ネットワークにおける動作に関する。
【背景】
【０００３】
ワイヤレス通信ネットワークは、音声、ビデオ、パケットデータ、メッセージング、ブロードキャスト等のような、さまざまな通信サービスを提供するために、広く採用されている。これらのワイヤレスネットワークは、利用可能なネットワークリソースを共有することにより、複数のユーザをサポートできる多元接続ネットワークであってもよい。このような多元接続ネットワークの例は、コード分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワークおよび単一搬送波ＦＤＭＡ（ＳＣ−ＦＤＭＡ）ネットワークを含む。
【０００４】
ワイヤレス通信システムに対して求められる増加する帯域幅要件の問題を取り扱うために、異なるスキームが開発されている。“Ｗｈｉｔｅ−ｆｉ”として知られる１つのスキームは、テレビジョン（ＴＶ）帯域における未使用の周波数スペクトル（すなわち、ＴＶホワイトスペース）による拡張Ｗｉ−Ｆｉ技術を伴う。ＴＶホワイトスペース（ＴＶＷＳ）を使用するための、電気電子技術者協会（ＩＥＥＥ）８０２．１１標準規格への改訂を規定するために、ＩＥＥＥ８０２．１１ａｆタスクグループが創設された。ＩＥＥＥ８０２．１１は、（例えば、数十メートルから数百メートルの）短距離通信のためにＩＥＥＥ８０２．１１委員会によって開発された、１組のワイヤレスローカルエリアネットワーク（ＷＬＡＮ）のエアインターフェース標準規格を指す。しかしながら、１ＧＨｚより低い周波数を持つＴＶＷＳを使用することにより、ＩＥＥＥ８０２．１１ａｆは、ＴＶスペクトルにおける未使用の周波数により提供される増加した帯域幅に加えて、より長い伝搬距離を提供してもよい。
【概要】
【０００５】
本開示のある特定の態様は、ワイヤレス通信のための装置を提供する。この装置は一般的に、受信機および処理システムを含む。受信機は、典型的に、未使用の周波数スペクトルのマップ（例えば、ホワイトスペースマップ）の現在のバージョンを示すフィールドを持つメッセージを受信するように構成され、未使用の周波数スペクトルのマップは、ワイヤレス通信に対して使用可能なチャネルを示す。処理システムは、一般的に、未使用の周波数スペクトルのマップの現在のバージョンが、未使用の周波数スペクトルのマップの前のバージョンと異なるか否かを決定し、決定に基づいて、ワイヤレス通信のためのチャネルを使用するように構成されている。
【０００６】
本開示のある特定の態様はワイヤレス通信のための方法を提供する。方法は、一般的に、未使用の周波数スペクトルのマップの現在のバージョンを示すフィールドを持つメッセージを装置において受信し、未使用の周波数スペクトルのマップは、ワイヤレス通信に対して使用可能なチャネルを示すことと、未使用の周波数スペクトルのマップの現在のバージョンが、未使用の周波数スペクトルのマップの前のバージョンと異なるか否かを決定することと、決定に基づいて、ワイヤレス通信のためのチャネルを使用することとを含む。
【０００７】
本開示のある特定の態様はワイヤレス通信のための装置を提供する。装置は、一般的に、未使用の周波数スペクトルのマップの現在のバージョンを示すフィールドを持つメッセージを受信し、未使用の周波数スペクトルのマップは、ワイヤレス通信に対して使用可能なチャネルを示す手段と、未使用の周波数スペクトルのマップの現在のバージョンが、未使用の周波数スペクトルのマップの前のバージョンと異なるか否かを決定する手段と、決定に基づいて、ワイヤレス通信のためのチャネルを使用する手段とを具備する。
【０００８】
本開示のある特定の態様は、ワイヤレス通信のためのコンピュータプログラムプロダクトを提供する。コンピュータプログラムプロダクトは、一般的に、コンピュータ読取可能媒体を含み、コンピュータ読取可能媒体は、未使用の周波数スペクトルのマップの現在のバージョンを示すフィールドを持つメッセージを装置において受信するための、未使用の周波数スペクトルのマップが、ワイヤレス通信に対して使用可能なチャネルを示す実行可能な命令と、未使用の周波数スペクトルのマップの現在のバージョンが、未使用の周波数スペクトルのマップの前のバージョンと異なるか否かを決定するために実行可能な命令と、決定に基づいて、ワイヤレス通信のためのチャネルを使用するために実行可能な命令とを含む。
【０００９】
本開示のある特定の態様は、ワイヤレスノードを提供する。ワイヤレスノードは、一般的に、少なくとも１本のアンテナと、少なくとも１本のアンテナを介して、未使用の周波数スペクトルのマップの現在のバージョンを示すフィールドを持つメッセージを受信するように構成され、未使用の周波数スペクトルのマップは、ワイヤレス通信に対して使用可能なチャネルを示す受信機と、未使用の周波数スペクトルのマップの現在のバージョンが、未使用の周波数スペクトルのマップの前のバージョンと異なるか否かを決定し、決定に基づいて、ワイヤレス通信のためのチャネルを使用するように構成されている処理システムとを具備する。
【００１０】
本開示のある特定の態様は、ワイヤレス通信のための第１の装置を提供する。第１の装置は、一般的に、未使用の周波数スペクトルのマップのバージョンを決定するように構成され、未使用の周波数スペクトルのマップは、ワイヤレス通信に対して使用可能なチャネルを示す処理システムと、未使用の周波数スペクトルのマップのバージョンを示すフィールドを持つメッセージを送信するように構成されている送信機とを具備する。
【００１１】
本開示のある特定の態様はワイヤレス通信のための方法を提供する。方法は、一般的に、未使用の周波数スペクトルのマップのバージョンを第１の装置において決定し、未使用の周波数スペクトルのマップは、ワイヤレス通信に対して使用可能なチャネルを示すことと、未使用の周波数スペクトルのマップのバージョンを示すフィールドを持つメッセージを送信することとを含む。
【００１２】
本開示のある特定の態様は、ワイヤレス通信のための第１の装置を提供する。第１の装置は、一般的に、未使用の周波数スペクトルのマップのバージョンを決定し、未使用の周波数スペクトルのマップは、ワイヤレス通信に対して使用可能なチャネルを示す手段と、未使用の周波数スペクトルのマップのバージョンを示すフィールドを持つメッセージを送信する手段とを具備する。
【００１３】
本開示のある特定の態様は、ワイヤレス通信のためのコンピュータプログラムプロダクトを提供する。コンピュータプログラムプロダクトは、一般的に、コンピュータ読取可能媒体を含み、コンピュータ読取可能媒体は、未使用の周波数スペクトルのマップのバージョンを装置において決定するために実行可能であり、未使用の周波数スペクトルのマップが、ワイヤレス通信に対して使用可能なチャネルを示す命令と、未使用の周波数スペクトルのマップのバージョンを示すフィールドを持つメッセージを送信するために実行可能な命令とを含む。
【００１４】
本開示のある特定の態様は、アクセスポイントを提供する。アクセスポイントは、一般的に、少なくとも１本のアンテナと、未使用の周波数スペクトルのマップのバージョンを決定するように構成され、未使用の周波数スペクトルのマップは、ワイヤレス通信に対して使用可能なチャネルを示す処理システムと、前記少なくとも１本のアンテナを介して、未使用の周波数スペクトルのマップのバージョンを示すフィールドを持つメッセージを送信するように構成されている送信機とを具備する。
【００１５】
本開示のある特定の態様はワイヤレス通信のための装置を提供する。装置は、一般的に、隣接するイネーブリング装置を介して、装置の現在のロケーションに対して利用可能なチャネルのデータベースにアクセスし、利用可能なチャネルのうちの１つ以上を介して、ワイヤレス通信に対して１つ以上の他の装置をイネーブルするように構成されている処理システムを具備する。
【００１６】
本開示のある特定の態様はワイヤレス通信のための方法を提供する。方法は、一般的に、装置において、隣接するイネーブリング装置を介して、装置の現在のロケーションに対して利用可能なチャネルのデータベースにアクセスすることと、利用可能なチャネルのうちの１つ以上を介して、ワイヤレス通信に対して１つ以上の他の装置をイネーブルすることとを含む。
【００１７】
本開示のある特定の態様はワイヤレス通信のための装置を提供する。装置は、一般的に、隣接するイネーブリング装置を介して、装置の現在のロケーションに対して利用可能なチャネルのデータベースにアクセスする手段と、利用可能なチャネルのうちの１つ以上を介して、ワイヤレス通信に対して１つ以上の他の装置をイネーブルする手段とを具備する。
【００１８】
本開示のある特定の態様は、ワイヤレス通信のためのコンピュータプログラムプロダクトを提供する。コンピュータプログラムプロダクトは、一般的に、コンピュータ読取可能媒体を含み、コンピュータ読取可能媒体は、装置において、隣接するイネーブリング装置を介して、装置の現在のロケーションに対して利用可能なチャネルのデータベースにアクセスし、利用可能なチャネルのうちの１つ以上を介して、ワイヤレス通信に対して１つ以上の他の装置をイネーブルするために実行可能な命令を含む。
【００１９】
本開示のある特定の態様は、アクセスポイントを提供する。アクセスポイントは、一般的に、少なくとも１本のアンテナと、隣接するイネーブリング装置を介して、アクセスポイントの現在のロケーションに対して利用可能なチャネルのデータベースにアクセスし、利用可能なチャネルのうちの１つ以上を介して、ワイヤレス通信のための１つ以上の装置をイネーブルするように構成されている処理システムとを具備する。
【００２０】
本開示のある特定の態様はワイヤレス通信のための装置を提供する。装置は、一般的に、従属装置としての、イネーブルされていない隣接するイネーブリング可能装置をイネーブルし、イネーブルした隣接する装置に対して利用可能なチャネルのデータベースにアクセスするように構成されている処理システムと、隣接する装置に対して利用可能なチャネルの表示を送信するように構成されている送信機とを具備する。
【００２１】
本開示のある特定の態様はワイヤレス通信のための方法を提供する。方法は、一般的に、従属装置としての、イネーブルされていない隣接するイネーブリング可能装置を装置においてイネーブルすることと、イネーブルした隣接する装置に対して利用可能なチャネルのデータベースにアクセスすることと、隣接する装置に対して利用可能なチャネルの表示を送信することとを含む。
【００２２】
本開示のある特定の態様はワイヤレス通信のための装置を提供する。装置は、一般的に、従属装置としての、イネーブルされていない隣接するイネーブリング可能装置をイネーブルする手段と、イネーブルした隣接する装置に対して利用可能なチャネルのデータベースにアクセスする手段と、隣接する装置に対して利用可能なチャネルの表示を送信する手段とを具備する。
【００２３】
本開示のある特定の態様は、ワイヤレス通信のためのコンピュータプログラムプロダクトを提供する。コンピュータプログラムプロダクトは、一般的に、コンピュータ読取可能媒体を含み、コンピュータ読取可能媒体は、従属装置としての、イネーブルされていない隣接するイネーブリング可能装置を装置においてイネーブルするために実行可能な命令と、イネーブルした隣接する装置に対して利用可能なチャネルのデータベースにアクセスするために実行可能な命令と、隣接する装置に対して利用可能なチャネルの表示を送信するために実行可能な命令とを含む。
【００２４】
本開示のある特定の態様は、アクセスポイントを提供する。アクセスポイントは、一般的に、少なくとも１本のアンテナと、従属装置としての、イネーブルされていない隣接するイネーブリング可能装置をイネーブルし、イネーブルした隣接する装置に対して利用可能なチャネルのデータベースにアクセスするように構成されている処理システムと、少なくとも１本のアンテナを介して、隣接する装置に対して利用可能なチャネルの表示を送信するように構成されている送信機とを具備する。
【図面の簡単な説明】
【００２５】
上述した本開示の特徴を詳細に理解できるように、上記で簡潔に概要を述べた、より詳細な説明が、そのいくつかが付随した図面中に図示されている態様を参照することにより行われる。しかしながら、付随した図面は、本開示のある典型的な態様のみを図示しており、それゆえ、その範囲を限定するものとして考えられるものではなく、説明のために、他の同等に効果的な態様を認めてもよいことに留意すべきである。
【図１】図１は、本開示のある特定の態様にしたがったワイヤレス通信ネットワークのダイヤグラムを図示している。
【図２】図２は、本開示のある特定の態様にしたがった、例示的なアクセスポイントおよびユーザ端末のブロックダイヤグラムを図示している。
【図３】図３は、本開示のある特定の態様にしたがった例示的なワイヤレスデバイスのブロックダイヤグラムを図示している。
【図４】図４は、本開示のある特定の態様にしたがった、米国連邦通信委員会（ＦＣＣ）により規定されている、テレビジョンホワイトスペース（ＴＶＷＳ）のためのデバイスモードの表を図示している。
【図５】図５は、本開示のある特定の態様にしたがった、モード１デバイスの観点から、ホワイトスペースマップ（ＷＳＭ）の現在のバージョンを示すフィールドを持つ受信メッセージを使用するための例示的な動作を図示している。
【図５Ａ】図５Ａは、図５に示しめされている動作を実行する例示的なコンポーネントを図示している。
【図６】図６は、本開示のある特定の態様にしたがった、モード２デバイスの観点から、ＷＳの現在のバージョンを示すフィールドを持つメッセージを使用するための例示的な動作を図示している。
【図６Ａ】図６Ａは、図６に示しめされている動作を実行する例示的なコンポーネントを図示している。
【図７】図７は、本開示のある特定の態様にしたがった、例示的なコンタクト確認情報エレメント（ＣＶＩＥ）を図示している。
【図８】図８は、本開示のある特定の態様にしたがった、図７のＣＶＩＥを含む例示的なブロードキャスト管理フレームを図示している。
【図９】図９は、本開示のある特定の態様にしたがった、例示的な登録ロケーションクエリプロトコル（ＲＬＱＰ）ＷＳＭ要求メッセージフォーマットを図示している。
【図１０】図１０は、本開示のある特定の態様にしたがった、例示的なＲＬＱＰ ＷＳＭ応答メッセージフォーマットを図示している。
【図１１】図１１は、本開示のある特定の態様にしたがった、パブリックアクションフレームのための例示的なＷＳＭクエリメッセージフォーマットを図示している。
【図１２】図１２は、本開示のある特定の態様にしたがった、パブリックアクションフレームのための例示的なＷＳＭ応答メッセージフォーマットを図示している。
【図１３】図１３は、本開示のある特定の態様にしたがった、モード２可能デバイスのような装置の観点から、隣接するポータブルまたは固定のイネーブリング装置（例えば、固定またはモード２デバイス）を介して、装置の現在のロケーションに対して利用可能なチャネルのデータベースにアクセスするための例示的な動作を図示している。
【図１３Ａ】図１３Ａは、図１３に示しめされている動作を実行する例示的なコンポーネントを図示している。
【図１４】図１４は、本開示のある特定の態様にしたがった、固定またはモード２のデバイスのような装置の観点から、隣接するポータブルのイネーブリング可能装置（例えば、モード２可能デバイス）に対して利用可能なチャネルのデータベースにアクセスするための例示的な動作を図示している。
【図１４Ａ】図１４Ａは、図１４に示しめされている動作を実行する例示的なコンポーネントを図示している。
【図１５】図１５は、本開示のある特定の態様にしたがった、例示的なワイヤレス通信ネットワークにおいて、モード２アクセスポイント（ＡＰ）を介して、モード２可能ＡＰに対するデータベースアクセスのダイヤグラムを図示している。
【図１６】図１６は、本開示のある特定の態様にしたがった、無線（ＯＴＡ）データベースアクセス手順を図示している。
【図１７】図１７は、本開示のある特定の態様にしたがった、ＯＴＡデータベースアクセスのためのＲＬＱＰ情報識別子（ＩＤ）定義への拡張を図示している。
【図１８】図１８は、本開示のある特定の態様にしたがった、例示的なＲＬＱＰデータベースアクセスクエリメッセージフォーマットを図示している。
【図１９】図１９は、本開示のある特定の態様にしたがった、例示的なＲＬＱＰデータベースアクセス応答メッセージフォーマットを図示している。
【図２０】図２０は、本開示のある特定の態様にしたがった、パブリックアクションフレームのための例示的なＷＳＭメッセージフォーマットを図示している。
【図２１】図２１は、本開示のある特定の態様にしたがった、図２０のＷＳＭメッセージを含む例示的なブロードキャスト管理フレームを図示している。
【詳細な説明】
【００２６】
下記において、添付した図面を参照して、本開示のさまざまな態様がより完全に説明されている。しかしながら、本開示は、多くの異なる形態で具現化されてもよく、本開示全体を通して提示される何らかの特定の構造または機能に限定されるものとして解釈すべきではない。そうではなく、これらの態様は、本開示を徹底的かつ完全なものとし、本開示の範囲が当業者に十分に伝わるように提供されている。ここでの教示に基づいて、本開示の範囲は、本発明の他の任意の態様と別々に実現するか、または、それらと組み合わせて実現するかにかかわらず、ここで開示した開示の任意の態様をカバーすることを意図していることを、当業者は正しく認識すべきである。例えば、ここに記載した任意の数の態様を用いて装置を実現したり方法を実施したりすることができる。さらに、開示の範囲は他の構造または機能あるいは構造および機能をここに記載した開示のさまざまな態様に加えてまたはその他に用いて実施される装置または方法をカバーすることが意図されている。ここに開示した開示の任意の態様を請求項のうちの１つ以上の要素により具体化することができることを理解すべきである。
【００２７】
“例示的な”という用語は、ここでは、“例、事例または例示として機能すること”を意味するように使用される。“例示的な”ものとして、ここで記述する任意の態様は、他の態様と比較して、必ずしも、好ましいまたは効果的なものと解釈されるものではない。
【００２８】
特定の態様がここに説明されているが、これらの態様の多くの変形および置換が、本開示の範囲内に含まれる。好ましい態様のいくつかの利益および利点が述べられているが、本開示の範囲は、特定の利益、使用または目的に限定されることを意図しない。そうではなく、本開示の態様は、異なるワイヤレス技術、システム構成、ネットワークおよび伝送プロトコルに広く適用可能であることが意図され、そのうちのいくつかは、図面および好ましい態様の以下の説明において、例として示されている。詳細な説明および図面は、限定するものではなく、単に開示を図示するものに過ぎず、本開示の範囲は、付随した特許請求の範囲およびその同等物によって定義される。
【００２９】
例示的なワイヤレス通信システム
ここに説明される技術は、直交多重スキームに基づく通信システムを含む、さまざまなブロードバンドワイヤレス通信システムのために使用されるてもよい。そのような通信システムの例には、空間分割多元接続（ＳＤＭＡ）、時分割多元接続（ＴＤＭＡ）、直交周波数分割多元接続（ＯＦＤＭＡ）システム、単一搬送波周波数分割多元接続（ＳＣ−ＦＤＭＡ）システム等が含まれる。ＳＤＭＡシステムは、異なる方向を十分に利用して、複数のユーザ端末に属するデータを同時に送信してもよい。ＴＤＭＡシステムは、各タイムスロットが異なるユーザ端末に割り当てられている異なるタイムスロットに、送信信号を分割することにより、複数のユーザ端末が同一の周波数チャネルを共有することを可能にしてもよい。ＯＦＤＭＡシステムは、システム全体の帯域幅を複数の直交副搬送波に区分する変調技術である直交周波数分割多重化（ＯＦＤＭ）を利用する。これら副搬送波は、トーン、ビン等と呼ばれることもある。ＯＦＤＭを用いることにより、各副搬送波がデータによって別々に変調されてもよい。ＳＣ−ＦＤＭＡシステムは、インターリーブドＦＤＭＡ（ＩＦＤＭＡ）を利用して、システム帯域幅にわたって分散した副搬送波で送信し、ローカライズドＦＤＭＡ（ＬＦＤＭＡ）を利用して、隣接する副搬送波の１つのブロックで送信し、または、エンハンスドＦＤＭＡ（ＥＦＤＭＡ）を利用して、隣接する副搬送波の複数のブロックで送信してもよい。一般的に、ＯＦＤＭによる周波数ドメインにおいて、および、ＳＣ−ＦＤＭＡによる時間ドメインにおいて、変調シンボルが送信される。
【００３０】
ここでの教示は、さまざまなワイヤードまたはワイヤレス装置（例えば、ノード）に組み込まれてもよい（例えば、それらの中で実現される、または、それらによって実行される）。いくつかの態様では、ここでの教示にしたがって実現されたワイヤレスノードは、アクセスポイントまたはアクセス端末を備えてもよい。
【００３１】
アクセスポイント（“ＡＰ”）は、ノードＢ、無線ネットワークコントローラ（“ＲＮＣ”）、進化ノードＢ（ｅＮＢ）、基地局コントローラ（“ＢＳＣ”）、基地トランシーバ局（“ＢＴＳ”）、基地局（“ＢＳ”）、トランシーバ機能（“ＴＦ”）、無線ルータ、無線トランシーバ、ベーシックサービスセット（“ＢＳＳ”）、拡張サービスセット（“ＥＳＳ”）、無線基地局（“ＲＢＳ”）、または、他のいくつか専門用語を備えてもよく、これらとして実現されてもよく、または、これらとして知られていることがある。
【００３２】
アクセス端末（“ＡＴ”）は、加入者局、加入者ユニット、移動局（“ＭＳ”）、遠隔局、遠隔端末、ユーザ端末（“ＵＴ”）、ユーザエージェント、ユーザデバイス、ユーザ機器（“ＵＥ”）、ユーザ局、または、他のいくつかの専門用語を備えてもよく、これらとして実現されてもよく、または、これらとして知られていることがある。いくつかのインプリメンテーションにおいて、アクセス端末は、セルラ電話機、コードレス電話機、セッション開始プロトコル（“ＳＩＰ”）電話機、ワイヤレスローカルループ（“ＷＬＬ”）局、パーソナルデジタルアシスタント（“ＰＤＡ”）、ワイヤレス接続能力を有するハンドヘルドデバイス、局（“ＳＴＡ”）、または、ワイヤレスモデムに接続された他のいくつかの適切な処理デバイスを備えてもよい。したがって、ここで教示される１つ以上の態様は、電話（例えば、セルラ電話機またはスマートフォン）、コンピュータ（例えば、ラップトップ）、タブレット、ポータブル通信デバイス、ポータブルコンピューティングデバイス（例えば、パーソナルデータアシスタント（ＰＤＡ））、エンターテイメントデバイス（例えば、音楽もしくはビデオデバイス、または衛星ラジオ）、グローバルポジショニングシステム（ＧＰＳ）デバイス、または、ワイヤレスまたはワイヤード媒体を介して通信するように構成されている他の任意の適切なデバイスに組み込まれてもよい。いくつかの態様では、ノードはワイヤレスノードである。そのようなワイヤレスノードは、例えば、ワイヤードまたはワイヤレス通信リンクを介した、ネットワーク（例えば、インターネットまたはセルラネットワークのようなワイドエリアネットワーク）のための接続、または、ネットワークへの接続を提供してもよい。
【００３３】
図１は、アクセスポイントとユーザ端末とを持つ多元接続複数入力複数出力（ＭＩＭＯ）システム１００を図示している。明瞭にするために、図１には１つのアクセスポイント１１０のみが示されている。アクセスポイントは、一般的に、ユーザ端末と通信する固定局であり、基地局または他のいくつかの専門用語で呼ばれることがある。ユーザ端末は、固定または移動性であってもよく、移動局、ワイヤレスデバイスまたは他のいくつか専門用語で呼ばれることもある。アクセスポイント１１０は、ダウンリンクおよびアップリンクで、任意の所定の瞬間に１つ以上のユーザ端末１２０と通信してもよい。ダウンリンク（すなわち、フォワードリンク）は、アクセスポイントからユーザ端末への通信リンクであり、アップリンク（すなわち、リバースリンク）は、ユーザ端末からアクセスポイントへの通信リンクである。ユーザ端末はまた、別のユーザ端末とピアツーピアで通信してもよい。システムコントローラ１３０は、アクセスポイントに結合し、アクセスポイントのための調整および制御を提供する。
【００３４】
以下の開示の一部では、空間分割多元接続（ＳＤＭＡ）を介して通信することができるユーザ端末１２０が説明されるが、ある特定の態様では、ユーザ端末１２０はまた、ＳＤＭＡをサポートしないいくつかのユーザ端末を含んでもよい。したがって、そのような態様では、ＡＰ１１０は、ＳＤＭＡユーザ端末および非ＳＤＭＡユーザ端末の双方と通信するように構成されていてもよい。このアプローチにより、より古いバージョンのユーザ端末（“レガシー”局）の耐用年数を延長して、それらが事業において用いられ続けることを有利に可能にしつつ、適切であると判断されたより新しいＳＤＭＡユーザ端末を導入することを可能にする。
【００３５】
システム１００は、ダウンリンクおよびアップリンクでのデータ伝送のために、複数の送信アンテナおよび複数の受信アンテナを用いる。アクセスポイント１１０は、Ｎap本のアンテナを装備し、ダウンリンク送信のための複数入力（ＭＩ）と、アップリンク送信のための複数出力（ＭＯ）とを表す。選択されたＫ個のユーザ端末１２０のセットは集合的に、ダウンリンク送信のための複数出力と、アップリンク送信のための複数入力とを表す。純粋なＳＤＭＡでは、Ｋ個のユーザ端末に対するデータシンボルストリームが、いくつかの手段により、コード、周波数または時間で多重化されていない場合に、Ｎap≧Ｋ≧１を有することが望ましい。Ｋは、データシンボルストリームを、ＴＤＭＡ技術、ＣＤＭＡによる異なるコードチャネル、ＯＦＤＭによるサブバンドの互いに素なセット等を使用して多重化できる場合に、Ｎapにより大きくなってもよい。各選択されたユーザ端末は、アクセスポイントにユーザ固有のデータを送信し、および／または、アクセスポイントからユーザ固有のデータを受信する。一般的に、各選択されたユーザ端末は、１本または複数（すなわち、Ｎut≧１）本のアンテナを装備してもよい。選択されたＫ個のユーザ端末は、同数のまたは異なる数のアンテナを有することができる。
【００３６】
ＳＤＭＡシステムは、時分割デュプレクス（ＴＤＤ）システムまたは周波数分割デュプレクス（ＦＤＤ）システムであってもよい。ＴＤＤシステムでは、ダウンリンクおよびアップリンクは、同一の周波数帯域を共有する。ＦＤＤシステムでは、ダウンリンクおよびアップリンクは、異なる周波数帯域を使用する。ＭＩＭＯシステム１００はまた、伝送のために単一の搬送波または複数の搬送波を利用してもよい。各ユーザ端末は、（例えば、コストを低く抑えるために）単一のアンテナを、または、（例えば、さらなるコストをサポート出来る場合には）複数のアンテナを装備してもよい。システム１００はまた、ユーザ端末１２０が、各タイムスロットが異なるユーザ端末１２０に割り当てられている異なるタイムスロットに、送信／受信を分割することにより、同一の周波数チャネルを共有する場合、ＴＤＭＡシステムであってもよい。
【００３７】
図２は、ＭＩＭＯシステム１００における、アクセスポイント１１０ならびに２個のユーザ端末１２０ｍおよび１２０ｘのブロックダイヤグラムを図示している。アクセスポイント１１０には、Ｎt本のアンテナ２２４ａないし２２４ｔが装備されている。ユーザ端末１２０ｍには、Ｎut,m本のアンテナ２５２ｍａないし２５２ｍｕが装備されており、ユーザ端末１２０ｘには、Ｎut,x本のアンテナ２５２ｘａないし２５２ｘｕが装備されている。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。ここで使用される、“送信エンティティ”は、ワイヤレスチャネルを介してデータを送信できる、独立して動作する装置またはデバイスであり、“受信エンティティ”は、ワイヤレスチャネルを介してデータを受信できる、独立して動作する装置またはデバイスである。以下の説明では、下付きの文字“ｄｎ”はダウンリンクを表し、下付きの文字“ｕｐ”はアップリンクを表し、Ｎup個のユーザ端末が、アップリンクでの同時送信のために選択され、Ｎdn個のユーザ端末が、ダウンリンクでの同時送信のために選択されるが、Ｎupは、Ｎdnと等しくてもよく、または、等しくなくてもよく、ＮupおよびＮdnは、各スケジューリングインターバルに対して、静的な値であってもよく、または、変化できる。ビームステアリングまたは他のいくつかの空間処理技術が、アクセスポイントおよびユーザ端末において使用されてもよい。
【００３８】
アップリンクでは、アップリンク送信のために選択された各ユーザ端末１２０において、ＴＸデータプロセッサ２８８は、データソース２８６からトラフィックデータを、コントローラ２８０から制御データを受け取る。ＴＸデータプロセッサ２８８は、ユーザ端末に対して選択されたレートに関連付けられているコーディングおよび変調スキームに基づいて、ユーザ端末のためのトラフィックデータを処理（例えば、エンコード、インターリーブおよび変調）し、データシンボルストリームを提供する。ＴＸ空間プロセッサ２９０が、データシンボルストリームで空間処理を実行し、Ｎut,m本のアンテナのためのＮut,m個の送信シンボルストリームを提供する。各送信機ユニット（ＴＭＴＲ）２５４が、それぞれの送信シンボルストリームを受け取って処理（例えば、アナログ変換、増幅、フィルタリングおよび周波数アップコンバート）し、アップリンク信号を発生させる。Ｎut,m個の送信機ユニット２５４は、Ｎut,m本のアンテナ２５２からアクセスポイントへの送信のために、Ｎut,m個のアップリンク信号を提供する。
【００３９】
Ｎup個のユーザ端末が、アップリンクでの同時送信のためにスケジューリングされてもよい。これらのユーザ端末のそれぞれは、そのデータシンボルストリームでの空間処理を実行し、その送信シンボルストリームのセットを、アクセスポイントにアップリンクで送信する。
【００４０】
アクセスポイント１１０において、Ｎap本のアンテナ２２４ａないし２２４ａｐは、アップリンクで送信するＮup個すべてのユーザ端末からのアップリンク信号を受信する。各アンテナ２２４は、受信信号をそれぞれの受信機ユニット（ＲＣＶＲ）２２２に提供する。各受信機ユニット２２２は、送信機ユニット２５４によって実行された処理と相補的な処理を実行し、受信シンボルストリームを提供する。ＲＸ空間プロセッサ２４０は、Ｎap個の受信機ユニット２２２からのＮap個の受信シンボルストリームで受信機空間処理を実行し、Ｎup個の復元されたアップリンクデータシンボルストリームを提供する。受信機空間処理は、チャネル相関行列反転（ＣＣＭＩ）、最小平均二乗誤差（ＭＭＳＥ）、ソフト干渉除去（ＳＩＣ）、または、他のいくつかの技術にしたがって実行される。各復元されたアップリンクデータシンボルストリームは、それぞれのユーザ端末によって送信されたデータシンボルストリームの推定である。ＲＸデータプロセッサ２４２が、各復元されたアップリンクデータシンボルストリームを、そのストリームのために使用されたレートにしたがって処理（例えば、復調、デインターリーブおよびデコード）し、デコードされたデータを取得する。各ユーザ端末のためのデコードされたデータは、記憶のためにデータシンク２４４に、および／または、さらなる処理のためにコントローラ２３０に、提供されてもよい。
【００４１】
ダウンリンクでは、アクセスポイント１１０において、ＴＸデータプロセッサ２１０は、データソース２０８から、ダウンリンク送信のためにスケジューリングされたＮdn個のユーザ端末のためのトラフィックデータを受け取り、コントローラ２３０から制御データを受け取り、ことによると、スケジューラ２３４から他のデータを受け取る。さまざまなタイプのデータが、異なるトランスポートチャネルで送信されてもよい。ＴＸデータプロセッサ２１０は、各ユーザ端末のためのトラフィックデータを、そのユーザ端末のために選択されたレートに基づいて処理（例えば、エンコード、インターリーブおよび変調）する。ＴＸデータプロセッサ２１０は、Ｎdn個のユーザ端末のための、Ｎdn個のダウンリンクデータシンボルストリームを提供する。ＴＸ空間プロセッサ２２０は、Ｎdn個のダウンリンクデータシンボルストリームで空間処理（例えば、本開示において説明されるプリコーディングまたはビームフォーミング）を実行し、Ｎap本のアンテナに対するＮap個の送信シンボルストリームを提供する。各送信機ユニット２２２は、それぞれの送信シンボルストリームを受け取って処理し、ダウンリンク信号を発生させる。Ｎap個の送信機ユニット２２２は、Ｎap本のアンテナ２２４からユーザ端末への送信のための、Ｎap個のダウンリンク信号を提供する。
【００４２】
各ユーザ端末１２０において、Ｎut,m本のアンテナ２５２が、アクセスポイント１１０から、Ｎap個のダウンリンク信号を受信する。各受信機ユニット２５４は、関連付けられているアンテナ２５２からの受信信号を処理し、受信シンボルストリームを提供する。ＲＸ空間プロセッサ２６０が、Ｎut,m個の受信機ユニット２５４からのＮut,m個の受信シンボルストリームで受信機空間処理を実行し、ユーザ端末のための復元されたダウンリンクデータシンボルストリームを提供する。受信機空間処理は、ＣＣＭＩ、ＭＭＳＥ、または、他のいくつかの技術にしたがって実行される。ＲＸデータプロセッサ２７０は、復元されたダウンリンクデータシンボルストリームを処理（例えば、復調、デインターリーブおよびデコード）し、ユーザ端末のためのデコードされたデータを取得する。
【００４３】
各ユーザ端末１２０において、チャネル推定器２７８は、ダウンリンクチャネル応答を推定し、ダウンリンクチャネル推定値を提供し、ダウンリンクチャネル推定値は、チャネル利得推定値、ＳＮＲ推定値、ノイズ分散等を含んでもよい。同様に、チャネル推定器２２８が、アップリンクチャネル応答を推定し、アップリンクチャネル推定値を提供する。各ユーザ端末のためのコントローラ２８０は、典型的に、ユーザ端末のための空間フィルタ行列を、そのユーザ端末のためのダウンリンクチャネル応答行列Ｈdn,mに基づいて導出する。コントローラ２３０は、有効アップリンクチャネル応答行列Ｈup,effに基づいて、アクセスポイントのための空間フィルタ行列を導出する。各ユーザ端末のためのコントローラ２８０は、フィードバック情報（例えば、ダウンリンクおよび／またはアップリンク固有ベクトル、固有値、ＳＮＲ推定値等）をアクセスポイントに送信してもよい。コントローラ２３０および２８０はまた、それぞれ、アクセスポイント１１０およびユーザ端末１２０における、さまざまな処理ユニットの動作を制御する。
【００４４】
図３は、ＭＩＭＯシステム１００内で用いられてもよいワイヤレスデバイス３０２において利用できるさまざまなコンポーネントを図示している。ワイヤレスデバイス３０２は、ここで説明されるさまざまな方法を実現するように構成されていてもよいデバイスのある例である。ワイヤレスデバイス３０２は、アクセスポイント１１０またはユーザ端末１２０であってもよい。
【００４５】
ワイヤレスデバイス３０２は、ワイヤレスデバイス３０２の動作を制御するプロセッサ３０４を備えていてもよい。プロセッサ３０４はまた、中央処理ユニット（ＣＰＵ）と呼ばれることもある。リードオンリーメモリ（ＲＯＭ）およびランダムアクセスメモリ（ＲＡＭ）の双方を含んでもよいメモリ３０６は、命令およびデータをプロセッサ３０４に提供する。メモリ３０６の一部にはまた、不揮発性ランダムアクセスメモリ（ＮＶＲＡＭ）が含まれてもよい。プロセッサ３０４は、典型的に、メモリ３０６内に記憶されているプログラム命令に基づいて、論理および演算動作を実行する。メモリ３０６中の命令は、ここで説明される方法を実現するために実行可能であってもよい。
【００４６】
ワイヤレスデバイス３０２はまた、ハウジング３０８を含んでもよく、ハウジング３０８は、ワイヤレスデバイス３０２と遠隔ロケーションとの間でのデータの送受信を可能にする、送信機３１０および受信機３１２を備えてもよい。送信機３１０および受信機３１２は、トランシーバ３１４に組み合わされてもよい。単数または複数の送信アンテナ３１６が、ハウジング３０８に取り付けられることができ、トランシーバ３１４に電気的に結合されることができる。ワイヤレスデバイス３０２はまた、（示されていない）複数の送信機、複数の受信機、および、複数のトランシーバを備えてもよい。
【００４７】
ワイヤレスデバイス３０２はまた、トランシーバ３１４によって受信された信号のレベルを検出して定量化するために使用してもよい信号検出器３１８を備えてもよい。信号検出器３１８は、総エネルギー、シンボル毎の副搬送波毎のエネルギー、電力スペクトル密度、および、他の信号のような、信号を検出してもよい。ワイヤレスデバイス３０２はまた、信号の処理に使用するためのデジタル信号プロセッサ（ＤＳＰ）３２０を備えてもよい。
【００４８】
ワイヤレスデバイス３０２のさまざまなコンポーネントは、バスシステム３２２により一緒に結合されてもよく、バスシステム３２２は、データバスに加えて、電力バス、制御信号バスおよびステータス信号バスを含んでもよい。
【００４９】
ＴＶＷＳのための例示的なＦＣＣデバイスモード
図４は、米国連邦通信委員会（ＦＣＣ）により規定されている、テレビジョンホワイトスペース（ＴＶＷＳ）のためのデバイスモードの表４００を図示している。ＴＶＷＳデバイスは、固定デバイスを含み、固定デバイスは、典型的に、専門家によりインストールされなければならず、データベース中に入力された個々のデバイスのロケーションを有する。モバイル／ポータブルＴＶＷＳデバイスは、モード１デバイスおよびモード２デバイスを含む。固定デバイスおよびモード２デバイスは、イネーブリング局（ＳＴＡ）と呼ばれる一方で、モード１動作状態におけるデバイスは、従属ＳＴＡと呼ばれる。
【００５０】
さらに、ＩＥＥＥ８０２．１１ａｆは、登録ロケーションクエリプロトコル（ＲＬＱＰ）と呼ばれる新たな“アドバタイズメント”プロトコルを含む。この新たなプロトコルは、ＴＶＷＳデバイスのイネーブルメントのためのジェネラルアドバタイズメントサービス（ＧＡＳ）アクションフレームを運ぶ。イネーブルメントは、従属ＳＴＡ（例えば、モード１デバイス）が、イネーブリングＳＴＡ（例えば、モード２デバイス）によりイネーブルされるプロセスである。関連メッセージは、新たに規定されたアクションフレームを使用して、または、ＲＬＱＰを使用して送信される。
【００５１】
例示的なイネーブルメント手順
このセクションでは、イネーブルメントに対する強化が説明されている。これらは、（１）モード１デバイスに対するＦＣＣの６０のコンタクト確認信号（ＣＶＳ）ルールを満たすための、ＩＥＥＥ８０２．１１ａｆにおける低オーバーヘッドシグナリングと、（２）イネーブルされたモード１デバイスが、たとえＴＶＷＳにおける利用可能なチャネルが変化したときでさえも、イネーブルメントを維持するためのシグナリングとを含む。
【００５２】
その最新のオーダー（１０〜１７４）では、ＦＣＣは、６０秒毎に、イネーブリング（モード２または固定）デバイスの受信領域内にあることを確認するエンコードされたコンタクト確認信号（ＣＶＳ）を、モード１デバイスが無線（ＯＴＡ）で取得しなければならないことを必要とする。従来の８０２．１１ａｆ Ｄ０．０６シグナリングは、上記の要件を満たさない。現在の設計は、ビーコン中で暗号化されずに送られる“利用可能なチャネルのリスト”を提案するが、このリストはＦＣＣにより認可されていない。
【００５３】
図５は、モード１デバイスまたは他のポータブル従属装置のような、装置の観点から、未使用の周波数スペクトルのマップ（例えば、ホワイトスペースマップ（ＷＳＭ））の現在のバージョンを示すフィールドを持つ受信メッセージを使用するための例示的な動作５００を図示している。動作５００は、５０２において、未使用の周波数スペクトルのマップの現在のバージョンを示すフィールドを持つメッセージを受信することにより開始してもよく、未使用の周波数スペクトルのマップは、ワイヤレス通信に対して使用可能なチャネルを示す。５０４において、装置は、未使用の周波数スペクトルのマップの現在のバージョンが、未使用の周波数スペクトルのマップの前のバージョン（例えば、装置のイネーブルメントの間に前もって受信されたＷＳＭのバージョン）と異なるか否かを決定してもよい。５０６において、装置は、５０４における決定に基づいて、ワイヤレス通信のためのチャネルを使用してもよい。
【００５４】
未使用の周波数スペクトルのマップの現在のバージョンが、未使用の周波数のマップの前のバージョン（例えば、前もって受信したバージョン）と異なる場合、装置は、更新された未使用の周波数スペクトルのマップ（例えば、更新されたＷＳＭ）に対する要求メッセージを送信してもよい。次に、装置は、更新された未使用の周波数スペクトルのマップを持つ応答メッセージを受信してもよい。未使用の周波数スペクトルのマップの現在のバージョンが前のバージョンと同じものである場合、装置は、ワイヤレス通信に対して、現在の動作チャネルを使用し続けてもよい。
【００５５】
以下でより詳細に説明するある特定の態様では、メッセージは、メッセージがパブリックアクションメッセージであることを示す第１のフィールド、または、メッセージが未使用の周波数スペクトルのマップの現在のバージョンを示すフィールドを含むことを示す第２のフィールドのうち少なくとも１つを持つフレームを含んでもよい。フレームは、例えば、ビーコンフレームまたはブロードキャスト管理フレームであってもよい。
【００５６】
図６は、モード２デバイスまたは他のポータブルイネーブリング装置のような、装置の観点から、未使用の周波数スペクトルのマップ（例えば、ＷＳＭ）の現在のバージョンを示すフィールドを持つメッセージを使用するための例示的な動作６００を図示している。動作６００は、６０２において、未使用の周波数スペクトルのマップのバージョンを決定することにより開始してもよく、未使用の周波数スペクトルのマップは、ワイヤレス通信に対して使用可能なチャネルを示す。６０４において、未使用の周波数スペクトルのマップのバージョンを示すフィールドを持つメッセージを送信してもよい。６０６において、更新された未使用の周波数スペクトルのマップ（例えば、更新されたＷＳＭ）に対する要求メッセージを受信してもよい。装置は、受信した要求メッセージに応答して、６０８において、更新された未使用の周波数スペクトルのマップを持つ応答メッセージを送信してもよい。ある特定の態様では、動作６００は、例えば、（未使用の周波数スペクトルのバージョンを示すフィールドを持つ）メッセージが到来する時間の表示を含むビーコンフレームを送信することを含んでもよい。
【００５７】
図７は、ＦＣＣのＣＶＳ要件を満たすために送られてもよい例示的なコンタクト確認情報エレメント（ＣＶＩＥ）７００を図示している。ＣＶＳは、ＴＶＷＳにおいて送信する許可を維持するために、通常インターバルにおいて送信されてもよい。ＣＶＩＥ７００は、この情報エレメント（ＩＥ）がＣＶＳであることを識別するエレメント識別子（ＩＤ）７０２を含む。ＣＶＩＥ７００はまた、ＣＶＩＥ７００の残りの部分の長さを示す長さフィールド７０４を含む。ＣＶＩＥ７００は、ホワイトスペースマップ識別子（ＩＤ）７０６を含む。このＭＡＰ ＩＤ７０６は、現在有効なホワイトスペースマップの、ホワイトスペースマップバージョン番号、または、（ＴＧａｆ Ｄｒａｆｔ０．０５中に規定された８．４．２ａｆ１．１としての）他の識別子を含んでもよい。
【００５８】
ＣＶＩＥ７００は、イネーブリングＳＴＡにより送信されるすべてのビーコンフレーム中に含まれている可能性が最も高い。ＣＶＩＥ７００は、プローブ応答の中に含まれていてもよい。
【００５９】
ＣＶＩＥ７００は多くの利益を有する。ＣＶＩＥ７００は、必要なとき、無線でブロードキャストされる。ＣＶＩＥ７００は、エンコードされてもよい。この方法では、イネーブルされたＳＴＡは、それらのＳＴＡが有する利用可能なチャネルのリストが依然として有効であるか否かを確認できる一方で、イネーブルされていないＳＴＡは、そのリストを取得できない。ＷＳＭをブロードキャストすることは許可されていない。ＣＶＩＥ７００はまた、小さなオーバーヘッドを有するのに対して、ホワイトスペースマップ全体を送信することは大きなオーバーヘッドを負う。
【００６０】
上述したように、従属ＳＴＡは、ＣＶＩＥ７００の中のＭＡＰ ＩＤ７０６をイネーブルメントの間に受信したＭＡＰ ＩＤと比較してもよい。ＭＡＰ ＩＤが変化していない場合、ＳＴＡはチャネルを使用し続けることができる。ＭＡＰ ＩＤが変化している場合、ＳＴＡは、（１）（例えば、リイネーブルメントに対する要求メッセージをイネーブリング装置に対して送ることのような、既存のイネーブルメント手順を使用して）イネーブルメントをリスタートするか、または、（２）ＳＴＡが使用しているチャネル（すなわち、現在の動作チャネル）が依然として利用可能であるか否かをチェックするために、新たなＷＳＭを要求するかのいずれかを行うべきだろう。
【００６１】
ＣＶＳの保護を増加させ、送信側のインテグリティを確実にするために、ある特定の態様に対するセキュアアソシエーションの一部として、ブロードキャストインテグリティプロテクション（ＢＩＰ）を交渉してもよい。言い換えると、ある特定の態様では、ＣＶＳは、ロバーストなブロードキャスト管理フレーム中でＢＩＰとともに送られてもよい。
【００６２】
図８は、本開示のある特定の態様にしたがった、図７のＣＶＩＥ７００を含む例示的なブロードキャスト管理フレーム８００を図示している。ＣＶＩＥを持つブロードキャスト管理フレーム８００は、ＡＰのすべてのイネーブルされたＳＴＡが、それらのイネーブルメントを確実に維持できるように、ビーコンインターバル毎に一度送信されてもよい。ブロードキャスト管理フレーム８００は、ＩＥＥＥ８０２．１１ヘッダ８０２、管理メッセージインテグリティチェック（ＭＩＣ）情報エレメント（ＭＭＩＥ）８０４、および、フレームチェックシーケンス（ＦＣＳ）８０６を含んでもよい。
【００６３】
本開示のある特定の態様は、ＣＶＩＥマップＩＤ７０６が変化するとき（すなわち、現在のＷＳＭバージョンが、イネーブルメントの間に受信されたＷＳＭのバージョンに一致しないとき）、復元手順を含んでもよい。１つの例示的なシナリオでは、ＳＴＡ１は、デイネーブルされていないが、ビーコンのＣＶＩＥ中の現在のマップバージョンは変化している。ＳＴＡ１にとって、ＳＴＡ１が使用するチャネルのステータスを変化させていない（すなわち、ＳＴＡ１の現在の動作チャネルが依然として利用可能である）場合に、イネーブルメント手順をリスタートすることは無駄が多い。
【００６４】
したがって、本開示のある特定の態様は、ＳＴＡ１が、更新されたＷＳＭを取得し、現在の動作チャネルが依然として有効であるか否かをチェックすることができるシグナリングを用いる。ある特定の態様では、登録ロケーションクエリプロトコル（ＲＬＱＰ）メッセージングを使用して、この新たなホワイトスペースマップを取り出してもよい。
【００６５】
図９は、本開示のある特定の態様にしたがった、例示的なＲＬＱＰ ＷＳＭ要求メッセージフォーマット９００を図示している。ビーコン中のＣＶＩＥ７００が異なる（すなわち、新たな）ＷＳＭ ＩＤを示すとき、ＷＳＭ要求メッセージをＳＴＡにより送ってもよい。ＷＳＭ要求メッセージフォーマット９００では、いくつかの方法で決定されることになる“新たなＷＳＭを要求する”ために、情報識別子（ＩＤ）フィールド９０２が設定されてもよい。ＷＳＭ要求メッセージはまた、ＷＳＭ要求メッセージの残りの部分の長さを示す長さフィールド９０４と、ＷＳＭを要求するＳＴＡの要求側アドレス９０６と、ＳＴＡが従属している、イネーブリングＳＴＡの応答側アドレス９０８と、原因結果コードフィールド９１０と、装置がイネーブルされたときに受信した値（イネーブルメントＩＤ）に設定されたイネーブルメントＩＤフィールド９１２とを含む。イネーブルメントＩＤは、ギャランティコードおよびプロダクトコードを含んでもよいＦＣＣ ＩＤを含んでもよい。ＳＴＡの現在の動作チャネルを示す値は、現在のチャネルフィールド９１４中のＷＳＭ要求メッセージに付随していてもよい。
【００６６】
ＷＳＭ要求メッセージを受信することに応答して、イネーブリングＳＴＡは、新たなＷＳＭとともに、デイネーブルメントメッセージまたはＷＳＭ応答メッセージを送ってもよい。イネーブリングＳＴＡは、ＳＴＡの現在のチャネルが、新たなＷＳＭにしたがってもはや利用可能ではない場合に、デイネーブリングメッセージを送ってもよい。メッセージが暗号化とともに送られることになる場合、二重に保護されたＲＬＱＰアクションフレームを使用してもよい。
【００６７】
図１０は、本開示のある特定の態様にしたがった、例示的なＲＬＱＰ ＷＳＭ応答メッセージフォーマット１０００を図示している。ＷＳＭ応答メッセージフォーマット１０００は、いくつかの方法で決定されることになる“ＷＳＭ要求へ応答する”ために設定された情報ＩＤフィールド９０２を含んでもよい。最後のイネーブルメントの間に取得した値に、イネーブルメントＩＤフィールド９１２を設定してもよい。イネーブルメントＩＤは、イネーブラが、従属ＳＴＡが、確かにイネーブルされており、イネーブリングＳＴＡが新たなホワイトスペースマップ１００２を送る前に、前記イネーブリングＳＴＡによりイネーブルされたことを確認できるようにする。
【００６８】
ＷＳＭ応答メッセージ中に含まれているＷＳＭ１００２は、コンタクト確認のために使用される最新の（すなわち、最も最近の）マップＩＤを含んでいてもよい。これは、ＦＣＣ Ｉｄ確認よりも効率的である。ＷＳＭ１００２は、ＳＴＡにより報告された現在の動作チャネルを、このチャネルが依然として利用可能な場合に含むべきである。ＷＳＭ応答メッセージを受信すると、ＳＴＡは、チャネルを、更新されたＷＳＭ１００２中で利用可能であると示された１つ以上チャネルに切り換えてもよく、または、更新されたＷＳＭ１００２中で示された電力にしたがって電力レベルを変化させてもよい。メッセージが暗号化とともに送られることになる場合、二重に保護されたＲＬＱＰアクションフレームを使用してもよい。
【００６９】
ある特定の態様では、ＷＳＭクエリメッセージまたはＷＳＭ応答メッセージは、ＲＬＱＰ中の情報エレメント（ＩＥ）として運ばれる代わりに、パブリックアクションメッセージを使用して運ばれてもよい。
【００７０】
ＤＳＥ ＷＳＭクエリフレームは、現在のＷＳＭを問い合わせるために使用されるパブリックアクションフレームである。図１１は、本開示のある特定の態様にしたがった、パブリックアクションフレームのための例示的なＷＳＭクエリメッセージフォーマットを図示している。ＷＳＭクエリメッセージフォーマット１１００では、カテゴリフィールド１１０２を、表８−３６中で規定されているパブリックアクションに対する値（カテゴリ値）に設定して、ＷＳＭクエリメッセージがパブリックアクションフレームフォーマットを有することを示してもよい。アクション値フィールド１１０４（または、アクションフィールド）は、ＤＳＥ ＷＳＭクエリを示すように設定されてもよい。イネーブルメント識別子（ＩＤ）９１２は、ＳＴＡのイネーブルメントの間に受信されたイネーブルメント識別子に設定されてもよい。現在のチャネルフィールド９１４は、ＳＴＡの現在の動作チャネルに設定されてもよい。
【００７１】
図１２は、本開示のある特定の態様にしたがった、パブリックアクションフレームのための例示的なＷＳＭ応答メッセージフォーマット１２００を図示している。ＷＳＭ応答メッセージフォーマット１２００では、カテゴリフィールド１１０２は、表８−３６中で規定されているパブリックアクションに対する値（カテゴリ値）に設定されてもよい。アクション値フィールド１１０４は、ＤＳＥ ＷＳＭ応答を示すように設定されてもよい。
【００７２】
図２０は、本開示のある特定の態様にしたがった、パブリックアクションフレームのための例示的なＷＳＭメッセージフォーマット２０００を図示している。ＷＳＭメッセージは、ＷＳＭバージョン番号または他の識別子を提供して、パブリックアクションフレーム中で送信されてもよく、パブリックアクションフレームは、ビーコンフレームまたはブロードキャスト管理フレームとして分類されてもよい。ＷＳＭメッセージフォーマット２０００では、カテゴリフィールド１１０２は、表８−３６中で規定されているパブリックアクションに対する値（カテゴリ値）に設定されてもよい。アクション値フィールド１１０４は、ホワイトスペースＭＡＰ ＩＤの送信を示すように設定されてもよく、ホワイトスペースＭＡＰ ＩＤは、ＷＳＭ識別子情報エレメント（ＷＳＭＩＩＥ）２００２中に含まれていてもよい。ある特定の態様では、ＷＳＭＩＩＥ２００２は、エレメントＩＤ７０２、長さフィールド７０４およびＭＡＰ ＩＤ７０６を含む、図７のＣＶＩＥ７００と同じフィールドを有していてもよい。このＭＡＰ ＩＤ７０６は、現在有効なホワイトスペースマップの、ホワイトスペースマップバージョン番号、または、（ＴＧａｆ Ｄｒａｆｔ０．０５中に規定された８．４．２ａｆ１．１としての）他の識別子を含んでもよい。
【００７３】
図２１は、本開示のある特定の態様にしたがった、図２０のＷＳＭメッセージフォーマット２０００を含む例示的なブロードキャスト管理フレーム２１００を図示している。ＷＳＭＩＩＥ２００２を持つブロードキャスト管理フレーム２１００は、ＡＰのすべてのイネーブルされたＳＴＡがそれらのイネーブルメントを確実に維持できるように、ビーコンインターバル毎に一度、パブリックアクションフレームとして送信されてもよい。ブロードキャスト管理フレーム2100は、ＩＥＥＥ８０２．１１ヘッダ８０２、管理メッセージインテグリティチェック（ＭＩＣ）情報エレメント（ＭＭＩＥ）８０４、および、フレームチェックシーケンス（ＦＣＳ）８０６を含んでもよい。
【００７４】
モード２デバイスに対する例示的なデータベースアクセス
モード２で動作しているＴＶＷＳデバイスは、現在のロケーション（少なくとも２４時間毎に一度）に対して利用可能なチャネル、および、モード１デバイスイネーブルメント機能（例えば、イネーブルメントを要求しているモード１デバイスに対するＦＣＣ ＩＤチェック）に対して利用可能なチャネルを取り出すためのデータベースアクセスを必要としてもよい。データアクセスは、データベースへのインターネットアクセスに対して、別々のＭＡＣ／ＰＨＹ（メディアアクセス制御／物理レイヤ）技術の要件を課すかもしれない。このようなアクセスは、イントラネットタイプアプリケーションにおいてデバイスとして主に機能するモード２デバイスに対するさらなるコストを負うことを伴うかもしれない。イントラネットアプリケーションの例は、現場における労働者間での通信のためのイントラネット、災害区域における救急サービスの調整のためのネットワーク、セキュリティ制限のためにインターネットアクセスを有さないイントラネットを含む。
【００７５】
この問題を取り扱うために、本開示のある特定の実施形態は、モード２可能デバイスが、隣接するモード２／固定デバイスを介して、データベースにアクセスできるようにする設計プロトコルおよびメッセージングを含む。これは、ＴＶＷＳ ＭＡＣ／ＰＨＹを使用して、モード２／固定デバイスとして動作するための別々のインターネットアクセスを持たないモード２可能デバイスを考慮する。さらに、これは、データベースアクセスが散発的に必要とされることから、データベースアクセスに対するアソシエーションを必要とすることを避ける。代わりに、データベースアクセスのためにメッセージをトンネリングするために、ジェネラルアドバタイズメントサービス（ＧＡＳ）フレームを使用してもよい。
【００７６】
図１３は、例えば、モード２可能デバイスとして構成されている装置の観点から、隣接するポータブルまたは固定のイネーブリング装置（例えば、固定またはモード２デバイス）を介して、装置の現在のロケーションに対して利用可能なチャネルのデータベースにアクセスするための例示的な動作１３００を図示している。動作１３００は、１３０２において、隣接するポータブルのイネーブリング装置または固定のイネーブリング装置（例えば、ＦＣＣにより規定されている、モード２または固定ＴＶＷＳデバイス）を介して、装置の現在のロケーションに対して利用可能なチャネルのデータベースにアクセスすることにより開始してもよい。１３０４において、装置は、利用可能なチャネルのうちの１つ以上を介してのワイヤレス通信のために、１つ以上の他の装置（例えば、ポータブル従属装置）をイネーブルしてもよい。
【００７７】
ある特定の態様では、装置は、データベースへのアクセス能力を隣接する装置に問い合わせてもよい。ある特定の態様では、装置は、隣接する装置から、隣接する装置がデータベースアクセス可能（ＤＢＡＣ）であることを示す登録ロケーションクエリプロトコル（ＲＬＱＰ）メッセージを受信してもよい。ある特定の態様では、装置は、隣接する装置から、１つ以上のデータベースベンダーのためのデータベースアクセスパラメータまたはプロトコルを示すベンダー固有情報エレメント（ＩＥ）を持つＲＬＱＰメッセージを受信してもよい。
【００７８】
ある特定の態様では、１３０２において、利用可能なチャネルのデータベースにアクセスすることは、ポータブル従属装置として動作するためのイネーブルメントを隣接する装置から取得して、隣接する装置を介して、利用可能なチャネルのデータベースにクエリメッセージを送信することにより、データベースにアクセスすることを含んでもよい。動作１３００は、利用可能なチャネルを持つ応答メッセージを受信することをさらに含んでもよい。ある特定の態様にしたがうと、ポータブル従属装置は、現在のロケーションに対して利用可能なチャネルを持つ応答メッセージを受信するとき、モード１デバイスからモード２デバイスに変化する。
【００７９】
図１４は、例えば、固定またはモード２デバイスとして構成されている装置の観点から、隣接するポータブルのイネーブリング可能装置（例えば、モード２可能デバイス）に対して利用可能なチャネルのデータベースにアクセスするための例示的な動作１４００を図示している。動作１４００は、１４０２において、（ポータブル）従属装置のような、イネーブルされていない隣接する（ポータブル）イネーブリング可能装置をイネーブルすることにより開始してもよい。１４０４において、装置は、イネーブルした隣接する装置に対して利用可能なチャネルのデータベースにアクセスしてもよい。装置は、その後、１４０６において、利用可能なチャネル（例えば、ホワイトスペースマップ）の表示を隣接する装置に送信してもよい。
【００８０】
ある特定の態様にしたがうと、装置は、装置がＤＢＡＣであることを示すＲＬＱＰメッセージを送信してもよい。ある特定の態様では、装置は、１つ以上のデータベースベンダーのためのデータベースアクセスパラメータまたはプロトコルを示すベンダー固有ＩＥを持つＲＬＱＰメッセージを送信してもよい。
【００８１】
図１５は、本開示のある特定の態様にしたがった、例示的なワイヤレス通信ネットワーク１５００における、モード２アクセスポイント（ＡＰ）１５０４を介しての、モード２可能ＡＰ１５０２に対するデータベースアクセスのダイヤグラムを図示している。初めに、モード２可能ＡＰ１５０２は、モード２ＡＰ１５０４にシグナリングして、モード２デバイスとしての動作を許可するデータベースアクセスを取得してもよい。いったんモード２可能ＡＰ１５０２が、モード２デバイスとしてイネーブルされると、ＡＰ１５０２は、ネットワーク中の１つ以上のモード１ＳＴＡ１５０６をイネーブルしてもよい。
【００８２】
ある特定の態様では、モード２デバイスは、このデバイスが“データベースアクセス可能（ＤＢＡＣ）”であることを、例えば、ビーコン中で、または、ＲＬＱＰメッセージ中で示してもよい。このような能力を示すためのオプションを以下に説明する。
【００８３】
図１６は、本開示のある特定の態様にしたがった、無線（ＯＴＡ）データベースアクセス手順を図示している。１６０２における第１のステップでは、イネーブルされていない、または、デイネーブルされたモード２可能ＳＴＡは、モード１で動作するためのイネーブルメントを取得してもよい。モード１イネーブルメントのためのすべてのイネーブルメント手順は、典型的に後続しなければならない。いったんＳＴＡがモード１デバイスとしてイネーブルされると、１６０４における第２のステップにおいて、データベースクエリメッセージが、ＤＢＡＣモード２デバイスを通して、データベースに送信されてもよい。これらのデータベースクエリメッセージは、ある特定の態様では、ＧＡＳフレーム中で運ばれてもよい。
【００８４】
データベースクエリ／応答メッセージのためのいくつかの無線（ＯＴＡ）プロトコルオプションが存在してもよい。ある特定の態様では、パブリックアクションフレーム中でデータベースクエリ／応答を運ぶための新たなプロトコルが規定されてもよい。利点として、メッセージはより低いオーバーヘッドを有するかもしれないが、この解法はさらに別のトンネリングプロトコルを伴う。他の態様では、データベースクエリ／応答が、ＩＥＥＥ８０２．１１ｕ ＡＮＱＰ（アクセスネットワーククエリプロトコル）に追加されてもよい。データベースクエリ／応答は、ＡＮＱＰの機能とうまく適合するかもしれないが、ＡＮＱＰサポートは、現在８０２．１１ａｆ中で必要とされていない。さらに別のオプションは、ＲＬＱＰを拡張して、データベースクエリ／応答のトンネリングを含むことである。ＲＬＱＰは、（例えば、上述したモード１イネーブルメントに対して）既に８０２．１１ａｆ中に存在する。
【００８５】
データベースアクセスに対する想定として、各データベースベンダーは、それ自体のプロプラエタリデータベースクエリ／応答プロトコルまたはパラメータを有していてもよい。ＤＢＡＣ モード２デバイスは、それがベンダー固有ＩＥを使用してアクセスできるデータベースを示してもよい。
【００８６】
図１７は、本開示のある特定の態様にしたがった、ＯＴＡデータベースアクセスのためのＲＬＱＰ情報識別子（ＩＤ）定義への拡張を図示している。データベースアクセスのためのＲＬＱＰに、３つのタイプの情報エレメント（ＩＥ）を追加してもよい。ＲＬＱＰは、能力クエリに対して、ＲＬＱＰ ＩＥ１７０２を含むように拡張されてもよい。データベースアクセス能力に対して、別個のクエリ応答が必要とされてもよい。ビーコンは、モード２デバイスがＲＬＱＰ可能であることのみを示してもよいが、ＲＬＱＰによる能力オプションは示さないかもしれない。ＲＬＱＰはまた、能力リスティングのためにＯＴＡデータベースアクセスの能力を示すＲＬＱＰ ＩＥ１７０４を含むように拡張されてもよい。１つ以上のデータベースベンダーにより規定されている表示とともに、ベンダー固有ＩＥが使用されてもよい。これらのＲＬＱＰベンダー固有ＩＥは、データベースベンダーからのデータベースアクセスパラメータまたはプロトコルを示してもよい。３つのタイプのＲＬＱＰ ＩＥは、データベースアクセスクエリおよび対応する応答メッセージを運ぶためのＲＬＱＰ ＩＥ１７０６を含んでもよい。
【００８７】
図１８は、本開示のある特定の態様にしたがった、ＲＬＱＰ ＩＥ１７０６のための例示的なＲＬＱＰデータベースアクセスクエリメッセージフォーマット１８００を図示している。ＲＬＱＰ ＩＥ１７０６中で送られたＲＬＱＰクエリメッセージは、データベースクエリ、データベースＩＤフィールド１８０２、および、データベースクエリメッセージ１８０４を示すように設定された情報識別子フィールド９０２を含んでもよい。データベースＩＤフィールド１８０２は、データベースまたはベンダー固有データベース識別子に対する、ユニフォームリソースロケータ（ＵＲＬ）またはインターネットプロトコル（ＩＰ）アドレスを含んでもよい。データベースクエリメッセージ１８０４は、セキュリティカプセル化されて、図１８に示されているセキュリティカプセル化データベースクエリメッセージを形成してもよい。イネーブルメントＩＤフィールド９１２は、モード２可能デバイスのモード１イネーブルメントの間に取得された識別子に設定されてもよい。
【００８８】
図１９は、本開示のある特定の態様にしたがった、例示的なＲＬＱＰデータベースアクセス応答メッセージフォーマット１９００を図示している。ＲＬＱＰデータベース応答は、データベースがアクセス不可能であること、データベースからの応答、または、モード２可能デバイスの現在のロケーションに対して利用可能なチャネルが存在しなかったことを示してもよい。ＲＬＱＰ ＩＥ１７０６中で送られたＲＬＱＰデータベース応答は、データベース応答を示すように設定されている情報ＩＤフィールド９０２と、データベース応答メッセージ１９０２とを含み、データベース応答メッセージ１９０２は、セキュリティカプセル化されて、図１９に示されているセキュリティカプセル化データベース応答メッセージを形成してもよい。
【００８９】
（セキュリティカプセル化）データベースクエリおよび応答メッセージのコンテンツは、問い合わせしているモード２可能ＳＴＡと、モード２／固定デバイスとの間の正確なプロトコルに依存してもよく、決定されることになる。
【００９０】
上述した方法のさまざまな動作は、対応する機能を実行することができる任意の適切な手段によって実行されてもよい。手段は、回路、特定用途向け集積回路（ＡＳＩＣ）またはプロセッサを含むが、これらに限定されない、さまざまなハードウェアおよび／またはソフトウェアのコンポーネントおよび／またはモジュールを含んでもよい。一般的に、動作が図中に示されている場合、それらの動作は、同様の参照番号を持つ、対応する対照のミーンズプラスファンクションコンポーネントを有していてもよい。例えば、図５に図示した動作５００は、図５Ａに図示した手段５００Ａに対応する。
【００９１】
例えば、送信する手段は、図２に図示されているアクセスポイント１１０の送信機ユニット２２２、図２に描写されているユーザ端末１２０の送信機ユニット２５４、または、図３に示されているワイヤレスデバイス３０２の送信機３１０のような、送信機を含んでもよい。例えば、受信する手段は、図２に図示されているアクセスポイント１１０の受信機ユニット２２２、図２に描写されているユーザ端末１２０の受信機ユニット２５４、または、図３に示されているワイヤレスデバイス３０２の受信機３１２のような、受信機を含んでもよい。処理するための手段、決定するための手段、アクセスするための手段、イネーブルするための手段または問い合わせるための手段は、処理システムを備えてもよく、処理システムは、図２に図示されている、ユーザ端末１２０のＲＸデータプロセッサ２７０、ＴＸデータプロセッサ２８８および／またはコントローラ２８０、あるいは、アクセスポイント１１０のＲＸデータプロセッサ２４２、ＴＸデータプロセッサ２１０および／またはコントローラ２３０のような、１つ以上のプロセッサを含んでもよい。
【００９２】
ここで使用する“決定すること”という用語は、幅広いさまざまなアクションを含んでいる。例えば、“決定すること”は、算出すること、計算すること、処理すること、導出すること、調べること、検索すること（例えば、表、データベース、または、別のデータ構造中において検索すること）、確認すること、および、これらに類するものを含めることができる。また、“決定すること”は、受信すること（例えば、情報を受信すること）、アクセスすること（例えば、メモリ中のデータにアクセスすること）、および、これらに類するものを含めることができる。また、“決定すること”は、解決すること、選択すること、選ぶこと、確立すること、および、これらに類するものを含めることができる。
【００９３】
ここで使用する、アイテムのリストのうちの“少なくとも１つ”というフレーズは、単一のメンバーを含む、それらのアイテムの任意の組み合わせのことを指す。例として、ａ、ｂまたはｃのうちの“少なくとも１つ”は：ａ、ｂ、ｃ、ａ−ｂ、ａ−ｃ、ｂ−ｃ、およびａ−ｂ−ｃをカバーすることが意図されている。
【００９４】
本開示に関連して説明した、さまざまな例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、離散ゲートまたはトランジスタ論理、離散ハードウェアコンポーネント、あるいは、ここで記述した機能を実行するように設計されているこれらの任意の組み合わせで、実現または実行できる。汎用プロセッサはマイクロプロセッサであってもよいが、代替実施形態では、プロセッサは、商品として入手可能な任意のプロセッサ、コントローラ、マイクロコントローラ、または、状態機械であってもよい。プロセッサはまた、例えば、ＤＳＰとマイクロプロセッサとの組み合わせ、複数のマイクロプロセッサ、ＤＳＰコアを伴う１つ以上のマイクロプロセッサ、または、他の任意のこのような構成のような、コンピューティングデバイスの組み合わせとして実現できる。
【００９５】
本開示に関連して記述した方法またはアルゴリズムのステップは、ハードウェアで、プロセッサにより実行されるソフトウェアモジュールで、あるいは、２つのものを組み合わせたもので直接的に具現化できる。ソフトウェアモジュールは、技術的に知られている任意の形態の記憶媒体に存在してもよい。使用してもよい記憶媒体のいくつかの例は、ランダムアクセスメモリ（ＲＡＭ）、リードオンリーメモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭ等を含む。ソフトウェアモジュールは、単一の命令または多くの命令を含むことができ、いくつかの異なるコードセグメントにわたって、異なるプログラム間で、および、複数の記憶媒体にわたって、分散されていてもよい。記憶媒体は、プロセッサが記憶媒体から情報を読み取り、記憶媒体に情報を書き込むことができるように、プロセッサに結合されることができる。代替実施形態では、記憶媒体はプロセッサと一体化してもよい。
【００９６】
ここで開示した方法は、説明した方法を達成するための１つ以上のステップまたはアクションを含んでいる。方法のステップおよび／またはアクションは、特許請求の範囲から逸脱することなく、相互に入れ替えることができる。言い換えると、ステップまたはアクションの特定の順序が指定されていない限り、特許請求の範囲から逸脱することなく、特定のステップおよび／またはアクションの順序および／または使用を修正できる。
【００９７】
記述した機能は、ハードウェアで、ソフトウェアで、ファームウェアで、または、これらの任意の組み合わせで実現できる。ハードウェアで実現される場合、例示的なハードウェア構成は、ワイヤレスノードにおける処理システムを備えてもよい。処理システムは、バスアーキテクチャとともに実現されてもよい。バスは、処理システムの特定アプリケーションおよび全体的な設計制約に依存して、任意の数の相互接続バスおよびブリッジを含んでもよい。バスは、プロセッサ、機械読取可能媒体およびバスインターフェースを含むさまざまな回路をともにリンクさせることができる。バスインターフェースは、数ある中で、バスを介して、ネットワークアダプタを処理システムに接続するために使用できる。このネットワークアダプタは、ＰＨＹレイヤの信号処理機能を実現するために使用されてもよい。ユーザ端末１２０（図１を参照）のケースでは、ユーザインターフェース（例えば、キーパッド、ディスプレイ、マウス、ジョイスティック等）もまた、バスに接続されてもよい。バスはまた、タイミングソース、周辺機器、電圧レギュレータ、電力管理回路およびこれらの類するもののような、他のさまざまな回路をリンクさせることができる。これらの回路は、技術的によく知られているので、これ以上説明しない。
【００９８】
プロセッサは、バスの管理、および、機械読取可能媒体に記憶されたソフトウェアの実行を含む一般的な処理を担うことができる。プロセッサは、１つ以上の汎用および／または特殊用途プロセッサにより実現できる。例は、ソフトウェアを実行できる、マイクロプロセッサ、マイクロコントローラ、ＤＳＰプロセッサおよび他の回路を含む。ソフトウェアは、ソフトウェア、ファームウェア、ミドルウェア、マイクロコード、ハードウェア記述言語、または、その他の名称で呼ばれるかにかかわらず、命令、データ、またはそれらの任意の組み合わせを意味するものとして広く解釈されるべきである。機械読取可能媒体は、例として、ＲＡＭ（ランダムアクセスメモリ）、フラッシュメモリ、ＲＯＭ（リードオンリーメモリ）、ＰＲＯＭ（プログラマブルリードオンリーメモリ）、ＥＰＲＯＭ（消去可能なプログラマブルリードオンリーメモリ）、ＥＥＰＲＯＭ（電気的に消去可能なプログラマブルリードオンリーメモリ）、レジスタ、磁気ディスク、光ディスク、ハードドライブ、または、他の任意の適切な記憶媒体、あるいは、それらの任意の組み合わせを含んでもよい。機械読取可能媒体は、コンピュータプログラムプロダクトに組み込まれてもよい。コンピュータプログラムプロダクトは、パッケージマテリアルを備えてもよい。
【００９９】
ハードウェアインプリメンテーションでは、機械読取可能媒体は、プロセッサとは別個の処理システムの一部であることができる。しかしながら、当業者が容易に正しく認識するように、機械読取可能媒体、または、そのうちの任意の部分は、処理システムの外部であってもよい。例として、機械読取可能媒体は、伝送回線、データによって変調された搬送波、および／またはワイヤレスノードとは別個のコンピュータプロダクトを含んでもよく、それらはすべて、バスインターフェースを通してプロセッサによりアクセスされてもよい。代替として、または、追加として、機械読取可能媒体、または、そのうちの任意の部分は、キャッシュおよび／または汎用レジスタファイルが用いられるようなケースでは、プロセッサに組み込まれてもよい。
【０１００】
処理システムは、プロセッサの機能を提供する１つ以上のマイクロプロセッサと、機械読取可能媒体の少なくとも一部を提供する外部メモリとを持ち、外部バスアーキテクチャを通して、すべてが他のサポート回路とともにリンクされている、汎用処理システムとして構成されてもよい。代替として、処理システムは、本開示全体を通して説明したさまざまな機能を実行することができる、単一のチップに組み込まれた、プロセッサと、バスインターフェースと、ユーザインターフェース（アクセス端末の場合）と、サポート回路と、機械読取可能媒体の少なくとも一部とを持つＡＳＩＣ（特定用途向け集積回路）を用いて、または、１つ以上のＦＰＧＡ（フィールドプログラマブルゲートアレイ）、ＰＬＤ（プログラマブル論理デバイス）、コントローラ、状態機械、ゲート制御された論理、離散ハードウェアコンポーネント、または、他の任意の適切な回路、あるいは、任意の回路の組み合わせを用いて、実現されてもよい。当業者は、特定のアプリケーションおよびシステム全体に課された全体的な設計の制約に依存して、処理システムに対して説明した機能をどのように実現することが最良かを認識するだろう。
【０１０１】
機械読取可能媒体は、多数のソフトウェアモジュールを備えてもよい。ソフトウェアモジュールは、プロセッサによって実行されるとき、さまざまな機能を処理システムに実行させる命令を含む。ソフトウェアモジュールは、送信モジュールおよび受信モジュールを含んでもよい。各ソフトウェアモジュールは、単一の記憶デバイスに存在してもよく、または、複数の記憶デバイスにわたって分散されてもよい。例として、ソフトウェアモジュールは、トリガイベントが生じたとき、ハードドライブからＲＡＭにロードされてもよい。ソフトウェアモジュールの実行の間に、プロセッサは、命令のうちのいくつかをキャッシュにロードして、アクセススピードを増加させてもよい。そして、１つ以上のキャッシュ・ラインが、プロセッサによる実行のために、汎用レジスタファイルにロードされることができる。下記でソフトウェアモジュールの機能を参照するとき、そのような機能は、そのソフトウェアモジュールからの命令が実行されるときに、プロセッサによって実現されることを理解するだろう。
【０１０２】
ソフトウェアで実現される場合、機能は、１つ以上の命令またはコードとしてコンピュータ読取可能媒体上に記憶されてもよく、あるいは、１つ以上の命令またはコードとしてコンピュータ読取可能媒体上に送信されてもよい。コンピュータ読取可能媒体は、ある場所から別の場所へのコンピュータプログラムの転送を促進する任意の媒体を含む、コンピュータ記憶媒体および通信媒体の双方を含む。記憶媒体は、コンピュータによってアクセスできる入手可能な任意の媒体であってもよい。限定ではなく例として、そのようなコンピュータ読取可能媒体は、ＲＡＭ、ＲＯＭ、ＥＥＰＲＯＭ、ＣＤ−ＲＯＭ、または、他の光ディスク記憶装置、磁気ディスク記憶装置、または、他の磁気記憶デバイス、あるいは、コンピュータによってアクセスでき、命令もしくはデータ構造の形態で所望のプログラムコードを搬送または記憶するために使用できる他の任意の媒体を含むことができる。また、任意の接続は、コンピュータ読取可能な媒体と適切に称される。例えば、ソフトウェアが、ウェブサイト、サーバ、または、他の遠隔ソースから、同軸ケーブル、光ファイバーケーブル、ツイストペア、デジタル加入者回線（ＤＳＬ）、あるいは、赤外線（ＩＲ）、無線およびマイクロ波のような、ワイヤレス技術を使用して伝送される場合、同軸ケーブル、光ファイバーケーブル、ツイストペア、ＤＳＬ、あるいは、赤外線、無線およびマイクロ波のような、ワイヤレス技術は、媒体の定義に含まれる。ここで使用するようなディスク（ｄｉｓｋおよびｄｉｓｃ）は、コンパクトディスク（ＣＤ）、レーザディスク、光ディスク、デジタル多用途ディスク（ＤＶＤ）、フロッピー（登録商標）ディスク、および、ブルーレイディスク（登録商標）を含んでいる。ここで、ディスク（ｄｉｓｋ）が通常、データを磁気的に再生する一方で、ディスク（ｄｉｓｃ）はデータをレーザによって光学的に再生する。したがって、いくつかの態様において、コンピュータ読取可能媒体は、一時的ではないコンピュータ読取可能媒体（例えば、有形の媒体）を含んでもよい。さらに、他の態様では、コンピュータ読取可能媒体は、一時的なコンピュータ読取可能媒体（例えば、信号）を含んでもよい。上記のものの組み合わせも、コンピュータ読取可能媒体の範囲内に含められるべきである。
【０１０３】
したがって、ある特定の態様は、ここに提示した動作を実行するためのコンピュータプログラムプロダクトを含んでいてもよい。例えば、このようなコンピュータプログラムプロダクトは、その上に記憶されている（および／またはエンコードされている）命令を有するコンピュータ読取可能媒体を含んでもよく、命令は、ここで記述した動作を実行するために、１つ以上のプロセッサにより実行可能である。ある特定の態様では、コンピュータプログラムプロダクトは、パーケージマテリアルを含むことができる。
【０１０４】
さらに、ここで記述した方法および技術を実現するモジュールおよび／または他の適切な手段は、適応されるユーザ端末および／または基地局により、ダウンロード、ならびに／あるいは、そうでなければ取得することができることを正しく認識すべきである。例えば、このようなデバイスは、ここで記述した方法を実行する手段の転送を促進するために、サーバに結合できる。代替的に、ユーザ端末および／または基地局が、記憶手段をデバイスに結合するとき、または、記憶手段をデバイスに提供するときに、さまざまな方法を取得できるように、ここで記述したさまざまな方法は、記憶手段（例えば、ＲＡＭ、ＲＯＭ、コンパクトディスク（ＣＤ）もしくはフロッピーディスクのような物理記憶媒体等）を介して提供できる。さらに、ここで記述した方法および技術をデバイスに提供する他の任意の適切な技術を利用できる。
【０１０５】
特許請求の範囲は、上述した厳密な構成およびコンポーネントに限定されないことを理解すべきである。特許請求の範囲から逸脱することなく、上述した方法および装置の、構成、動作および詳細において、さまざまな修正、変更およびバリエーションを行うことができる。
以下に、本願出願時の特許請求の範囲に記載された発明を付記する。
［１］ワイヤレス通信のための装置において、
未使用の周波数スペクトルのマップの現在のバージョンを示すフィールドを持つメッセージを受信するように構成されており、前記未使用の周波数スペクトルのマップは、前記ワイヤレス通信に対して使用可能なチャネルを示す受信機と、
前記未使用の周波数スペクトルのマップの前記現在のバージョンが、前記未使用の周波数スペクトルのマップの前のバージョンと異なるか否かを決定し、前記決定に基づいて、前記ワイヤレス通信のためのチャネルを使用するように構成されている処理システムとを具備する装置。
［２］前記前のバージョンは、前記装置のイネーブルメントの間に受信された前記未使用の周波数スペクトルのマップのバージョンを含む［１］に記載の装置。
［３］前記未使用の周波数スペクトルのマップの前記現在のバージョンが、前記未使用の周波数スペクトルのマップの前記前のバージョンと異なる場合、更新された未使用の周波数スペクトルのマップに対する要求メッセージを送信するように構成されている送信機をさらに具備する［１］に記載の装置。
［４］前記要求メッセージは、
前記装置のアドレス、イネーブリング装置のアドレス、イネーブルメント識別子（ＩＤ）、または、前記装置の現在の動作チャネルを示すフィールドのうちの少なくとも１つ、
登録ロケーションクエリプロトコル（ＲＬＱＰ）メッセージ、あるいは、
前記要求メッセージがパブリックアクションメッセージであることを示すカテゴリフィールド、または、前記要求メッセージが前記更新された未使用の周波数スペクトルのマップを要求するためのものであることを示すアクションフィールドのうちの少なくとも１つを含み、
前記ＲＬＱＰメッセージは、前記要求メッセージが前記更新された未使用の周波数スペクトルのマップを要求するためのものであることを示す情報ＩＤフィールド、または、前記要求メッセージの残りの部分の長さを示す長さフィールドのうちの少なくとも１つを有する［３］に記載の装置。
［５］前記要求メッセージは、前記装置のアドレス、イネーブリング装置のアドレス、イネーブルメント識別子（ＩＤ）、または、前記装置の現在の動作チャネルを示すフィールドのうちの少なくとも１つを含み、
前記受信機は、前記更新された未使用の周波数スペクトルのマップを持つ応答メッセージを受信するように構成されており、
前記更新された未使用の周波数スペクトルのマップは、前記装置の前記現在の動作チャネルが依然として利用可能である場合に、前記現在の動作チャネルを含み、
前記装置は、前記受信した更新された未使用の周波数スペクトルのマップに基づいて、前記ワイヤレス通信に対して前記現在の動作チャネルを使用し続ける［３］に記載の装置。
［６］前記受信機は、応答メッセージを受信するように構成され、
前記応答メッセージは、
前記更新された未使用の周波数スペクトルのマップと、
前記応答メッセージが前記更新された未使用の周波数スペクトルのマップに対する前記要求メッセージに応答するものであることを示す情報識別子（ＩＤ）フィールド、前記応答メッセージの残りの部分の長さを示す長さフィールド、前記応答メッセージがパブリックアクションメッセージであることを示すカテゴリフィールド、前記応答メッセージが前記更新された未使用の周波数スペクトルのマップに対する前記要求メッセージに応答するものであることを示すアクションフィールド、前記装置のアドレス、イネーブリング装置のアドレス、または、イネーブルメントＩＤのうちの少なくとも１つとを含む［３］に記載の装置。
［７］前記未使用の周波数スペクトルのマップの前記現在のバージョンが、前記未使用の周波数スペクトルのマップの前記前のバージョンと異なる場合、リイネーブルメントに対する要求メッセージをイネーブリング装置に送信するように構成されている送信機をさらに具備する［１］に記載の装置。
［８］前記未使用の周波数スペクトルのマップの前記現在のバージョンが、前記未使用の周波数スペクトルのマップの前記前のバージョンと同じものである場合、前記装置は、前記ワイヤレス通信に対して使用可能なチャネルのうちの１つを使用する［１］に記載の装置。
［９］前記メッセージは、
前記メッセージがコンタクト確認信号（ＣＶＳ）であることの表示、
前記未使用の周波数スペクトルのマップの前記現在のバージョンを示す前記フィールドの長さを示す長さフィールド、
ビーコンフレームまたはブロードキャスト管理フレーム、あるいは、
前記メッセージがパブリックアクションメッセージであることを示す第１のフィールド、または、前記メッセージが前記未使用の周波数スペクトルのマップの前記現在のバージョンを示す前記第１のフィールドを含むことを示す第２のフィールドのうちの少なくとも１つを持つフレームのうちの少なくとも１つを含み、
前記表示は、情報エレメント（ＩＥ）識別子（ＩＤ）を有し、
前記ビーコンフレームまたは前記ブロードキャスト管理フレームは、管理メッセージインテグリティチェック（ＭＩＣ）情報エレメント（ＭＭＩＥ）を有する［１］に記載の装置。
［１０］ワイヤレス通信のための方法において、
未使用の周波数スペクトルのマップの現在のバージョンを示すフィールドを持つメッセージを装置において受信し、前記未使用の周波数スペクトルのマップは、前記ワイヤレス通信に対して使用可能なチャネルを示すことと、
前記未使用の周波数スペクトルのマップの前記現在のバージョンが、前記未使用の周波数スペクトルのマップの前のバージョンと異なるか否かを決定することと、
前記決定に基づいて、前記ワイヤレス通信のためのチャネルを使用することとを含む方法。
［１１］前記前のバージョンは、前記装置のイネーブルメントの間に受信された前記未使用の周波数スペクトルのマップのバージョンを含む［１０］に記載の方法。
［１２］前記未使用の周波数スペクトルのマップの前記現在のバージョンが、前記未使用の周波数スペクトルのマップの前記前のバージョンと異なる場合、更新された未使用の周波数スペクトルのマップに対する要求メッセージを送信することをさらに含む［１０］に記載の方法。
［１３］前記要求メッセージは、
前記装置のアドレス、イネーブリング装置のアドレス、イネーブルメント識別子（ＩＤ）、または、前記装置の現在の動作チャネルを示すフィールドのうちの少なくとも１つ、
登録ロケーションクエリプロトコル（ＲＬＱＰ）メッセージ、あるいは、
前記要求メッセージがパブリックアクションメッセージであることを示すカテゴリフィールド、または、前記要求メッセージが前記更新された未使用の周波数スペクトルのマップを要求するためのものであることを示すアクションフィールドのうちの少なくとも１つを含み、
前記ＲＬＱＰメッセージは、前記要求メッセージが前記更新された未使用の周波数スペクトルのマップを要求するためのものであることを示す情報ＩＤフィールド、または、前記要求メッセージの残りの部分の長さを示す長さフィールドのうちの少なくとも１つを有する［１２］に記載の方法。
［１４］前記更新された未使用の周波数スペクトルのマップを持つ応答メッセージを受信することをさらに含み、
前記要求メッセージは、前記装置のアドレス、イネーブリング装置のアドレス、イネーブルメント識別子（ＩＤ）、または、前記装置の現在の動作チャネルを示すフィールドのうちの少なくとも１つを含み、
前記更新された未使用の周波数スペクトルのマップは、前記装置の前記現在の動作チャネルが依然として利用可能である場合に、前記現在の動作チャネルを含み、
前記装置は、前記受信した更新された未使用の周波数スペクトルのマップに基づいて、前記ワイヤレス通信に対して前記現在の動作チャネルを使用し続ける［１２］に記載の方法。
［１５］応答メッセージを受信することをさらに含み、
前記応答メッセージは、
前記更新された未使用の周波数スペクトルのマップと、
前記応答メッセージが前記更新された未使用の周波数スペクトルのマップに対する前記要求メッセージに応答するものであることを示す情報識別子（ＩＤ）フィールド、前記応答メッセージの残りの部分の長さを示す長さフィールド、前記応答メッセージがパブリックアクションメッセージであることを示すカテゴリフィールド、前記応答メッセージが前記更新された未使用の周波数スペクトルのマップに対する前記要求メッセージに応答するものであることを示すアクションフィールド、前記装置のアドレス、イネーブリング装置のアドレス、または、イネーブルメントＩＤのうちの少なくとも１つとを含む［１２］に記載の方法。
［１６］前記未使用の周波数スペクトルのマップの前記現在のバージョンが、前記未使用の周波数スペクトルのマップの前記前のバージョンと異なる場合、リイネーブルメントに対する要求メッセージをイネーブリング装置に送信することをさらに含む［１０］に記載の方法。
［１７］前記未使用の周波数スペクトルのマップの前記現在のバージョンが、前記未使用の周波数スペクトルのマップの前記前のバージョンと同じものである場合、前記装置は、前記ワイヤレス通信に対して使用可能なチャネルのうちの１つを使用する［１０］に記載の方法。
［１８］前記メッセージは、
前記メッセージがコンタクト確認信号（ＣＶＳ）であることの表示、
前記未使用の周波数スペクトルのマップの前記現在のバージョンを示す前記フィールドの長さを示す長さフィールド、
ビーコンフレームまたはブロードキャスト管理フレーム、あるいは、
前記メッセージがパブリックアクションメッセージであることを示す第１のフィールド、または、前記メッセージが前記未使用の周波数スペクトルのマップの前記現在のバージョンを示す前記第１のフィールドを含むことを示す第２のフィールドのうちの少なくとも１つを持つフレームのうちの少なくとも１つを含み、
前記表示は、情報エレメント（ＩＥ）識別子（ＩＤ）を有し、
前記ビーコンフレームまたは前記ブロードキャスト管理フレームは、管理メッセージインテグリティチェック（ＭＩＣ）情報エレメント（ＭＭＩＥ）を有する［１０］に記載の方法。
［１９］ワイヤレス通信のための装置において、
未使用の周波数スペクトルのマップの現在のバージョンを示すフィールドを持つメッセージを受信し、前記未使用の周波数スペクトルのマップは、前記ワイヤレス通信に対して使用可能なチャネルを示す手段と、
前記未使用の周波数スペクトルのマップの前記現在のバージョンが、前記未使用の周波数スペクトルのマップの前のバージョンと異なるか否かを決定する手段と、
前記決定に基づいて、前記ワイヤレス通信のためのチャネルを使用する手段とを具備する装置。
［２０］前記前のバージョンは、前記装置のイネーブルメントの間に受信された前記未使用の周波数スペクトルのマップのバージョンを含む［１９］に記載の装置。
［２１］前記未使用の周波数スペクトルのマップの前記現在のバージョンが、前記未使用の周波数スペクトルのマップの前記前のバージョンと異なる場合、更新された未使用の周波数スペクトルのマップに対する要求メッセージを送信する手段をさらに具備する［１９］に記載の装置。
［２２］前記要求メッセージは、
前記装置のアドレス、イネーブリング装置のアドレス、イネーブルメント識別子（ＩＤ）、または、前記装置の現在の動作チャネルを示すフィールドのうちの少なくとも１つ、
登録ロケーションクエリプロトコル（ＲＬＱＰ）メッセージ、あるいは、
前記要求メッセージがパブリックアクションメッセージであることを示すカテゴリフィールド、または、前記要求メッセージが前記更新された未使用の周波数スペクトルのマップを要求するためのものであることを示すアクションフィールドのうちの少なくとも１つを含み、
前記ＲＬＱＰメッセージは、前記要求メッセージが前記更新された未使用の周波数スペクトルのマップを要求するためのものであることを示す情報ＩＤフィールド、または、前記要求メッセージの残りの部分の長さを示す長さフィールドのうちの少なくとも１つを有する［２１］に記載の装置。
［２３］前記要求メッセージは、前記装置のアドレス、イネーブリング装置のアドレス、イネーブルメント識別子（ＩＤ）、または、前記装置の現在の動作チャネルを示すフィールドのうちの少なくとも１つを含み、
前記受信する手段は、前記更新された未使用の周波数スペクトルのマップを持つ応答メッセージを受信するように構成されており、
前記更新された未使用の周波数スペクトルのマップは、前記装置の前記現在の動作チャネルが依然として利用可能である場合に、前記現在の動作チャネルを含み、
前記装置は、前記受信した更新された未使用の周波数スペクトルのマップに基づいて、前記ワイヤレス通信に対して前記現在の動作チャネルを使用し続ける［２１］に記載の装置。
［２４］前記受信する手段は、応答メッセージを受信するように構成され、
前記応答メッセージは、
前記更新された未使用の周波数スペクトルのマップと、
前記応答メッセージが前記更新された未使用の周波数スペクトルのマップに対する前記要求メッセージに応答するものであることを示す情報識別子（ＩＤ）フィールド、前記応答メッセージの残りの部分の長さを示す長さフィールド、前記応答メッセージがパブリックアクションメッセージであることを示すカテゴリフィールド、前記応答メッセージが前記更新された未使用の周波数スペクトルのマップに対する前記要求メッセージに応答するものであることを示すアクションフィールド、前記装置のアドレス、イネーブリング装置のアドレス、または、イネーブルメントＩＤのうちの少なくとも１つとを含む［２１］に記載の装置。
［２５］前記未使用の周波数スペクトルのマップの前記現在のバージョンが、前記未使用の周波数スペクトルのマップの前記前のバージョンと異なる場合、リイネーブルメントに対する要求メッセージをイネーブリング装置に送信する手段をさらに具備する［１９］に記載の装置。
［２６］前記未使用の周波数スペクトルのマップの前記現在のバージョンが、前記未使用の周波数スペクトルのマップの前記前のバージョンと同じものである場合、前記装置は、前記ワイヤレス通信に対して使用可能なチャネルのうちの１つを使用する［１９］に記載の装置。
［２７］前記メッセージは、
前記メッセージがコンタクト確認信号（ＣＶＳ）であることの表示、
前記未使用の周波数スペクトルのマップの前記現在のバージョンを示す前記フィールドの長さを示す長さフィールド、
ビーコンフレームまたはブロードキャスト管理フレーム、あるいは、
前記メッセージがパブリックアクションメッセージであることを示す第１のフィールド、または、前記メッセージが前記未使用の周波数スペクトルのマップの前記現在のバージョンを示す前記第１のフィールドを含むことを示す第２のフィールドのうちの少なくとも１つを持つフレームのうちの少なくとも１つを含み、
前記表示は、情報エレメント（ＩＥ）識別子（ＩＤ）を有し、
前記ビーコンフレームまたは前記ブロードキャスト管理フレームは、管理メッセージインテグリティチェック（ＭＩＣ）情報エレメント（ＭＭＩＥ）を有する［１９］に記載の装置。
［２８］ワイヤレス通信のためのコンピュータプログラムプロダクトにおいて、
コンピュータ読取可能媒体を含み、
前記コンピュータ読取可能媒体は、
未使用の周波数スペクトルのマップの現在のバージョンを示すフィールドを持つメッセージを装置において受信するために実行可能であり、前記未使用の周波数スペクトルのマップは、前記ワイヤレス通信に対して使用可能なチャネルを示す命令と、
前記未使用の周波数スペクトルのマップの前記現在のバージョンが、前記未使用の周波数スペクトルのマップの前のバージョンと異なるか否かを決定するために実行可能な命令、
前記決定に基づいて、前記ワイヤレス通信のためのチャネルを使用するために実行可能な命令とを含むコンピュータプログラムプロダクト。
［２９］ワイヤレスノードにおいて、
少なくとも１本のアンテナと
前記少なくとも１本のアンテナを介して、未使用の周波数スペクトルのマップの現在のバージョンを示すフィールドを持つメッセージを受信するように構成されており、前記未使用の周波数スペクトルのマップは、前記ワイヤレス通信に対して使用可能なチャネルを示す受信機と、
前記未使用の周波数スペクトルのマップの前記現在のバージョンが、前記未使用の周波数スペクトルのマップの前のバージョンと異なるか否かを決定し、前記決定に基づいて、前記ワイヤレス通信のためのチャネルを使用するように構成されている処理システムとを具備するワイヤレスノード。
［３０］ワイヤレス通信のための第１の装置において、
未使用の周波数スペクトルのマップのバージョンを決定するように構成されており、前記未使用の周波数スペクトルのマップは、前記ワイヤレス通信に対して使用可能なチャネルを示す処理システムと、
前記未使用の周波数スペクトルのマップのバージョンを示すフィールドを持つメッセージを送信するように構成されている送信機とを具備する第１の装置。
［３１］前記未使用の周波数スペクトルのマップは、テレビジョンホワイトスペース（ＴＶＷＳ）における前記使用可能なチャネルを示す［３０］に記載の第１の装置。
［３２］更新された未使用の周波数スペクトルのマップに対する要求メッセージを受信するように構成されている受信機をさらに具備し、
前記要求メッセージは、
前記要求メッセージを送信した第２の装置のアドレス、前記第１の装置のアドレス、イネーブルメント識別子（ＩＤ）、または、前記第２の装置の現在の動作チャネルを示すフィールドのうちの少なくとも１つ、
登録ロケーションクエリプロトコル（ＲＬＱＰ）メッセージ、あるいは、
前記要求メッセージがパブリックアクションメッセージであることを示すカテゴリフィールド、または、前記要求メッセージが前記更新された未使用の周波数スペクトルのマップを要求するためのものであることを示すアクションフィールドのうちの少なくとも１つを含み、
前記ＲＬＱＰメッセージは、前記要求メッセージが前記更新された未使用の周波数スペクトルのマップを要求するためのものであることを示す情報ＩＤフィールド、または、前記要求メッセージの残りの部分の長さを示す長さフィールドのうちの少なくとも１つを有する［３０］に記載の第１の装置。
［３３］更新された未使用の周波数スペクトルのマップに対する要求メッセージを受信するように構成されている受信機をさらに具備し、
前記送信機は、応答メッセージを送信するように構成され、
前記応答メッセージは、
前記更新された未使用の周波数スペクトルのマップと、
前記応答メッセージが前記更新された未使用の周波数スペクトルのマップに対する前記要求メッセージに応答するものであることを示す情報識別子（ＩＤ）フィールド、前記応答メッセージの残りの部分の長さを示す長さフィールド、前記要求メッセージを送信した第２の装置のアドレス、前記第１の装置のアドレス、または、イネーブルメントＩＤのうちの少なくとも１つとを含む［３０］に記載の第１の装置。
［３４］更新された未使用の周波数スペクトルのマップに対する要求メッセージを受信するように構成されている受信機をさらに具備し、
前記送信機は、応答メッセージを送信するように構成され、
前記応答メッセージは、
前記更新された未使用の周波数スペクトルのマップと、
前記要求メッセージがパブリックアクションメッセージであることを示すカテゴリフィールド、前記応答メッセージが前記更新された未使用の周波数スペクトルのマップに対する前記要求メッセージに応答するものであることを示すアクションフィールド、前記第１の装置のアドレス、イネーブリング装置のアドレス、または、イネーブルメント識別子（ＩＤ）のうちの少なくとも１つとを含む［３０］に記載の第１の装置。
［３５］前記第１の装置へのリイネーブルメントに対する要求メッセージを第２の装置から受信するように構成されている受信機をさらに具備する［３０］に記載の第１の装置。
［３６］前記メッセージは、前記メッセージがコンタクト確認信号（ＣＶＳ）であることの表示を含む［３０］に記載の第１の装置。
［３７］前記メッセージは、ビーコンフレームまたはブロードキャスト管理フレームを含み、前記ビーコンフレームまたは前記ブロードキャスト管理フレームは、管理メッセージインテグリティチェック（ＭＩＣ）情報エレメント（ＭＭＩＥ）を有する［３０］に記載の第１の装置。
［３８］前記送信機は、前記ＭＭＩＥ、および、前記未使用の周波数スペクトルのマップのバージョンを示す前記フィールドが到来する時間の表示を含む前記ビーコンフレームを送信するように構成されている［３７］に記載の第１の装置。
［３９］ワイヤレス通信のための方法において、
未使用の周波数スペクトルのマップのバージョンを第１の装置において決定し、前記未使用の周波数スペクトルのマップは、前記ワイヤレス通信に対して使用可能なチャネルを示すことと、
前記未使用の周波数スペクトルのマップのバージョンを示すフィールドを持つメッセージを送信することとを含む方法。
［４０］前記未使用の周波数スペクトルのマップは、テレビジョンホワイトスペース（ＴＶＷＳ）における前記使用可能なチャネルを示す［３９］に記載の方法。
［４１］更新された未使用の周波数スペクトルのマップに対する要求メッセージを受信することをさらに含み、
前記要求メッセージは、
前記要求メッセージを送信した第２の装置のアドレス、前記第１の装置のアドレス、イネーブルメント識別子（ＩＤ）、または、前記第２の装置の現在の動作チャネルを示すフィールドのうちの少なくとも１つ、
登録ロケーションクエリプロトコル（ＲＬＱＰ）メッセージ、あるいは、
前記要求メッセージがパブリックアクションメッセージであることを示すカテゴリフィールド、または、前記要求メッセージが前記更新された未使用の周波数スペクトルのマップを要求するためのものであることを示すアクションフィールドのうちの少なくとも１つを含み、
前記ＲＬＱＰメッセージは、前記要求メッセージが前記更新された未使用の周波数スペクトルのマップを要求するためのものであることを示す情報ＩＤフィールド、または、前記要求メッセージの残りの部分の長さを示す長さフィールドのうちの少なくとも１つを有する［３９］に記載の方法。
［４２］更新された未使用の周波数スペクトルのマップに対する要求メッセージを受信することと、
応答メッセージを送信することとをさらに含み、
前記応答メッセージは、
前記更新された未使用の周波数スペクトルのマップと、
前記応答メッセージが前記更新された未使用の周波数スペクトルのマップに対する前記要求メッセージに応答するものであることを示す情報識別子（ＩＤ）フィールド、前記応答メッセージの残りの部分の長さを示す長さフィールド、前記要求メッセージを送信した第２の装置のアドレス、前記第１の装置のアドレス、または、イネーブルメントＩＤのうちの少なくとも１つとを含む［３９］に記載の方法。
［４３］更新された未使用の周波数スペクトルのマップに対する要求メッセージを受信することと、
応答メッセージを送信することとをさらに含み、
前記応答メッセージは、
前記更新された未使用の周波数スペクトルのマップと、
前記要求メッセージがパブリックアクションメッセージであることを示すカテゴリフィールド、前記応答メッセージが前記更新された未使用の周波数スペクトルのマップに対する前記要求メッセージに応答するものであることを示すアクションフィールド、前記第１の装置のアドレス、イネーブリング装置のアドレス、または、イネーブルメント識別子（ＩＤ）のうちの少なくとも１つとを含む［３９］に記載の方法。
［４４］前記第１の装置へのリイネーブルメントに対する要求メッセージを従属装置から受信することをさらに含む［３９］に記載の方法。
［４５］前記メッセージは、前記メッセージがコンタクト確認信号（ＣＶＳ）であることの表示を含む請求項に３９記載の方法。
［４６］前記メッセージは、ビーコンフレームまたはブロードキャスト管理フレームを含み、前記ビーコンフレームまたは前記ブロードキャスト管理フレームは、管理メッセージインテグリティチェック（ＭＩＣ）情報エレメント（ＭＭＩＥ）を有する［３９］に記載の方法。
［４７］前記ＭＭＩＥ、および、前記未使用の周波数スペクトルのマップのバージョンを示す前記フィールドが到来する時間の表示を含む前記ビーコンフレームを送信することをさらに含む［４６］に記載の方法。
［４８］ワイヤレス通信のための第１の装置において、
未使用の周波数スペクトルのマップのバージョンを決定し、前記未使用の周波数スペクトルのマップは、前記ワイヤレス通信に対して使用可能なチャネルを示す手段と、
前記未使用の周波数スペクトルのマップのバージョンを示すフィールドを持つメッセージを送信する手段とを具備する第１の装置。
［４９］前記未使用の周波数スペクトルのマップは、テレビジョンホワイトスペース（ＴＶＷＳ）における前記使用可能なチャネルを示す［４８］に記載の第１の装置。
［５０］更新された未使用の周波数スペクトルのマップに対する要求メッセージを受信する手段をさらに具備し、
前記要求メッセージは、
前記要求メッセージを送信した第２の装置のアドレス、前記第１の装置のアドレス、イネーブルメント識別子（ＩＤ）、または、前記第２の装置の現在の動作チャネルを示すフィールドのうちの少なくとも１つ、
登録ロケーションクエリプロトコル（ＲＬＱＰ）メッセージ、あるいは、
前記要求メッセージがパブリックアクションメッセージであることを示すカテゴリフィールド、または、前記要求メッセージが前記更新された未使用の周波数スペクトルのマップを要求するためのものであることを示すアクションフィールドのうちの少なくとも１つを含み、
前記ＲＬＱＰメッセージは、前記要求メッセージが前記更新された未使用の周波数スペクトルのマップを要求するためのものであることを示す情報ＩＤフィールド、または、前記要求メッセージの残りの部分の長さを示す長さフィールドのうちの少なくとも１つを有する［４８］に記載の第１の装置。
［５１］更新された未使用の周波数スペクトルのマップに対する要求メッセージを受信する手段をさらに具備し、
前記送信する手段は、応答メッセージを送信するように構成され、
前記応答メッセージは、
前記更新された未使用の周波数スペクトルのマップと、
前記応答メッセージが前記更新された未使用の周波数スペクトルのマップに対する前記要求メッセージに応答するものであることを示す情報識別子（ＩＤ）フィールド、前記応答メッセージの残りの部分の長さを示す長さフィールド、前記要求メッセージを送信した第２の装置のアドレス、前記第１の装置のアドレス、または、イネーブルメントＩＤのうちの少なくとも１つとを含む［４８］に記載の第１の装置。
［５２］更新された未使用の周波数スペクトルのマップに対する要求メッセージを受信する手段をさらに具備し、
前記送信する手段は、応答メッセージを送信するように構成され、
前記応答メッセージは、
前記更新された未使用の周波数スペクトルのマップと、
前記要求メッセージがパブリックアクションメッセージであることを示すカテゴリフィールド、前記応答メッセージが前記更新された未使用の周波数スペクトルのマップに対する前記要求メッセージに応答するものであることを示すアクションフィールド、前記第１の装置のアドレス、イネーブリング装置のアドレス、または、イネーブルメント識別子（ＩＤ）のうちの少なくとも１つとを含む［４８］に記載の第１の装置。
［５３］前記第１の装置へのリイネーブルメントに対する要求メッセージを第２の装置から受信する手段をさらに具備する［４８］に記載の第１の装置。
［５４］前記メッセージは、前記メッセージがコンタクト確認信号（ＣＶＳ）であることの表示を含む［４８］に記載の第１の装置。
［５５］前記メッセージは、ビーコンフレームまたはブロードキャスト管理フレームを含み、前記ビーコンフレームまたは前記ブロードキャスト管理フレームは、管理メッセージインテグリティチェック（ＭＩＣ）情報エレメント（ＭＭＩＥ）を有する［４８］に記載の第１の装置。
［５６］前記送信する手段は、前記ＭＭＩＥ、および、前記未使用の周波数スペクトルのマップのバージョンを示す前記フィールドが到来する時間の表示を含む前記ビーコンフレームを送信するように構成されている［５５］に記載の第１の装置。
［５７］ワイヤレス通信のためのコンピュータプログラムプロダクトにおいて、
コンピュータ読取可能媒体を含み、
前記コンピュータ読取可能媒体は、
未使用の周波数スペクトルのマップのバージョンを装置において決定するために実行可能であり、前記未使用の周波数スペクトルのマップは、前記ワイヤレス通信に対して使用可能なチャネルを示す命令と、
前記未使用の周波数スペクトルのマップのバージョンを示すフィールドを持つメッセージを送信するために実行可能な命令とを含むコンピュータプログラムプロダクト。
［５８］アクセスポイントにおいて、
少なくとも１本のアンテナと、
未使用の周波数スペクトルのマップのバージョンを決定するように構成されており、前記未使用の周波数スペクトルのマップは、前記ワイヤレス通信に対して使用可能なチャネルを示す処理システムと、
前記少なくとも１本のアンテナを介して、前記未使用の周波数スペクトルのマップのバージョンを示すフィールドを持つメッセージを送信するように構成されている送信機とを具備するアクセスポイント。
［５９］ワイヤレス通信のための装置において、
処理システムを具備し、
前記処理システムは、
隣接する装置を介して、前記装置の現在のロケーションに対して利用可能なチャネルのデータベースにアクセスし、
前記利用可能なチャネルのうちの１つ以上を介して、前記ワイヤレス通信に対して１つ以上の他の装置をイネーブルするように構成されている装置。
［６０］前記利用可能なチャネルは、テレビジョンホワイトスペース（ＴＶＷＳ）において利用可能なチャネルを含む［５９］に記載の装置。
［６１］前記処理システムは、アソシエーションなしで前記データベースにアクセスするように構成されている［５９］に記載の装置。
［６２］送信機をさらに具備し、
前記処理システムは、ポータブル装置として動作するためのイネーブルメントを前記隣接する装置から取得することにより、前記データベースにアクセスするように構成され、前記送信機は、前記隣接する装置を介して、前記利用可能なチャネルの前記データベースにクエリメッセージを送信するように構成されている［５９］に記載の装置。
［６３］前記クエリメッセージは、ジェネラルアドバタイズメントサービス（ＧＡＳ）フレーム中に含まれている［６２］に記載の装置。
［６４］前記クエリメッセージは、登録ロケーションクエリプロトコル（ＲＬＱＰ）クエリメッセージを含む［６２］に記載の装置。
［６５］前記ＲＬＱＰクエリメッセージは、前記ＲＬＱＰクエリメッセージが前記データベースに問い合わせるためのものであることを示す情報識別子（ＩＤ）フィールド、前記ＲＬＱＰクエリメッセージの残りの部分の長さを示す長さフィールド、前記装置のアドレス、前記隣接する装置のアドレス、イネーブルメントＩＤ、または、前記データベースを識別するデータベースＩＤフィールドのうちの少なくとも１つを含む［６４］に記載の装置。
［６６］前記ＲＬＱＰクエリメッセージは、セキュリティカプセル化データベースクエリメッセージを含む［６４］に記載の装置。
［６７］受信機をさらに具備し、
前記受信機は、前記利用可能なチャネルを持つ応答メッセージを受信するように構成され、前記応答メッセージは、前記利用可能なチャネルの表示と、前記応答メッセージが前記クエリメッセージに応答するものであることを示す情報識別子（ＩＤ）フィールド、前記応答メッセージの残りの部分の長さを示す長さフィールド、前記装置のアドレス、または、前記隣接する装置のアドレスのうちの少なくとも１つとを含み、前記利用可能なチャネルの表示は、前記セキュリティカプセル化データベース応答メッセージを含む［６２］に記載の装置。
［６８］前記処理システムは、前記データベースへのアクセス能力を前記隣接する装置に問い合わせるように構成されている［５９］に記載の装置。
［６９］ワイヤレス通信のための方法において、
装置において、隣接する装置を介して、前記装置の現在のロケーションに対して利用可能なチャネルのデータベースにアクセスすることと、
前記利用可能なチャネルのうちの１つ以上を介して、前記ワイヤレス通信に対して１つ以上の他の装置をイネーブルすることとを含む方法。
［７０］前記利用可能なチャネルは、テレビジョンホワイトスペース（ＴＶＷＳ）において利用可能なチャネルを含む［６９］に記載の方法。
［７１］前記アクセスすることは、アソシエーションなしで前記データベースにアクセスすることを含む［６９］に記載の方法。
［７２］前記隣接する装置を介して、前記利用可能なチャネルの前記データベースにクエリメッセージを送信することをさらに含み、前記アクセスすることは、ポータブル装置として動作するためのイネーブルメントを前記隣接する装置から取得することにより、前記データベースにアクセスすることを含む［６９］に記載の方法。
［７３］前記クエリメッセージは、ジェネラルアドバタイズメントサービス（ＧＡＳ）フレーム中に含まれている［７２］に記載の方法。
［７４］前記クエリメッセージは、登録ロケーションクエリプロトコル（ＲＬＱＰ）クエリメッセージを含む［７２］に記載の方法。
［７５］前記ＲＬＱＰクエリメッセージは、前記ＲＬＱＰクエリメッセージが前記データベースに問い合わせるためのものであることを示す情報識別子（ＩＤ）フィールド、前記ＲＬＱＰクエリメッセージの残りの部分の長さを示す長さフィールド、前記装置のアドレス、前記隣接する装置のアドレス、イネーブルメントＩＤ、または、前記データベースを識別するデータベースＩＤフィールドのうちの少なくとも１つを含む［７４］に記載の方法。
［７６］前記ＲＬＱＰクエリメッセージは、セキュリティカプセル化データベースクエリメッセージを含む［７４］に記載の方法。
［７７］前記利用可能なチャネルを持つ応答メッセージを受信することをさらに含み、
前記応答メッセージは、前記利用可能なチャネルの表示と、前記応答メッセージが前記クエリメッセージに応答するものであることを示す情報識別子（ＩＤ）フィールド、前記応答メッセージの残りの部分の長さを示す長さフィールド、前記装置のアドレス、または、前記隣接する装置のアドレスのうちの少なくとも１つとを含み、前記利用可能なチャネルの表示は、前記セキュリティカプセル化データベース応答メッセージを含む［７２］に記載の方法。
［７８］前記データベースへのアクセス能力を前記隣接する装置に問い合わせることをさらに含む［６９］に記載の方法。
［７９］ワイヤレス通信のための装置において、
隣接する装置を介して、前記装置の現在のロケーションに対して利用可能なチャネルのデータベースにアクセスする手段と、
前記利用可能なチャネルのうちの１つ以上を介して、前記ワイヤレス通信に対して１つ以上の他の装置をイネーブルする手段とを具備する装置。
［８０］前記利用可能なチャネルは、テレビジョンホワイトスペース（ＴＶＷＳ）において利用可能なチャネルを含む［７９］に記載の装置。
［８１］前記アクセスする手段は、アソシエーションなしで前記データベースにアクセスするように構成されている［７９］に記載の装置。
［８２］送信する手段をさらに具備し、
前記アクセスする手段は、ポータブル装置として動作するためのイネーブルメントを前記隣接する装置から取得することにより、前記データベースにアクセスするように構成され、前記送信する手段は、前記隣接する装置を介して、前記利用可能なチャネルの前記データベースにクエリメッセージを送信するように構成されている［７９］に記載の装置。
［８３］前記クエリメッセージは、ジェネラルアドバタイズメントサービス（ＧＡＳ）フレーム中に含まれている［８２］に記載の装置。
［８４］前記クエリメッセージは、登録ロケーションクエリプロトコル（ＲＬＱＰ）クエリメッセージを含む［８２］に記載の装置。
［８５］前記ＲＬＱＰクエリメッセージは、前記ＲＬＱＰクエリメッセージが前記データベースに問い合わせるためのものであることを示す情報識別子（ＩＤ）フィールド、前記ＲＬＱＰクエリメッセージの残りの部分の長さを示す長さフィールド、前記装置のアドレス、前記隣接する装置のアドレス、イネーブルメントＩＤ、または、前記データベースを識別するデータベースＩＤフィールドのうちの少なくとも１つを含む［８４］に記載の装置。
［８６］前記ＲＬＱＰクエリメッセージは、セキュリティカプセル化データベースクエリメッセージを含む［８４］に記載の装置。
［８７］前記利用可能なチャネルを持つ応答メッセージを受信する手段をさらに具備し、
前記応答メッセージは、前記利用可能なチャネルの表示と、前記応答メッセージが前記クエリメッセージに応答するものであることを示す情報識別子（ＩＤ）フィールド、前記応答メッセージの残りの部分の長さを示す長さフィールド、前記装置のアドレス、または、前記隣接する装置のアドレスのうちの少なくとも１つとを含み、前記利用可能なチャネルの表示は、前記セキュリティカプセル化データベース応答メッセージを含む［８２］に記載の装置。
［８８］前記データベースへのアクセス能力を前記隣接する装置に問い合わせる手段をさらに具備する［７９］に記載の装置。
［８９］ワイヤレス通信のためのコンピュータプログラムプロダクトにおいて、
コンピュータ読取可能媒体を含み、
前記コンピュータ読取可能媒体は、
装置において、隣接する装置を介して、前記装置の現在のロケーションに対して利用可能なチャネルのデータベースにアクセスするために実行可能な命令と、
前記利用可能なチャネルのうちの１つ以上を介して、前記ワイヤレス通信に対して１つ以上の他の装置をイネーブルするために実行可能な命令とを含むコンピュータプログラムプロダクト。
［９０］アクセスポイントにおいて、
前記少なくとも１本のアンテナと
処理システムとを具備し、
前記処理システムは、
隣接する装置を介して、前記アクセスポイントの現在のロケーションに対して利用可能なチャネルのデータベースにアクセスし、
前記利用可能なチャネルのうちの１つ以上を介して、前記ワイヤレス通信に対して１つ以上の他の装置をイネーブルするように構成されているアクセスポイント。
［９１］ワイヤレス通信のための装置において、
従属装置としての隣接する装置をイネーブルし、前記イネーブルした隣接する装置に対して利用可能なチャネルのデータベースにアクセスするように構成されている処理システムと、
前記利用可能なチャネルの表示を前記隣接する装置に送信するように構成されている送信機とを具備する装置。
［９２］前記利用可能なチャネルは、テレビジョンホワイトスペース（ＴＶＷＳ）において利用可能なチャネルを含む［９１］に記載の装置。
［９３］前記利用可能なチャネルの表示は、未使用の周波数スペクトルのマップを含む［９１］に記載の装置。
［９４］前記隣接する装置から、前記利用可能なチャネルの前記データベースへのクエリメッセージを受信するように構成されている受信機をさらに具備し、
前記送信機は、前記クエリメッセージに応答して、応答メッセージを送信するように構成され、前記応答メッセージは、前記利用可能なチャネルの表示を含む［９１］に記載の装置。
［９５］前記クエリメッセージは、ジェネラルアドバタイズメントサービス（ＧＡＳ）フレーム中に含まれている、または、登録ロケーションクエリプロトコル（ＲＬＱＰ）クエリメッセージを含む［９４］に記載の装置。
［９６］前記応答メッセージは、前記利用可能なチャネルの表示と、前記応答メッセージが前記クエリメッセージに応答するものであることを示す情報識別子（ＩＤ）フィールド、前記応答メッセージの残りの部分の長さを示す長さフィールド、前記隣接する装置のアドレス、または、前記装置のアドレスのうちの少なくとも１つとを含み、前記利用可能なチャネルの表示は、セキュリティカプセル化データベース応答メッセージを含む［９４］に記載の装置。
［９７］前記送信機は、ビーコンまたは登録ロケーションクエリプロトコル（ＲＬＱＰ）メッセージを送信して、前記装置がデータベースアクセス可能（ＤＢＡＣ）であることを示すように構成されている［９１］に記載の装置。
［９８］前記送信機は、１つ以上のデータベースベンダーに対するデータベースアクセスパラメータまたはプロトコルを示すベンダー固有情報エレメント（ＩＥ）を持つ登録ロケーションクエリプロトコル（ＲＬＱＰ）メッセージを送信するように構成されている［９１］に記載の装置。
［９９］ワイヤレス通信のための方法において、
装置において、従属装置としての隣接する装置をイネーブルすることと、
前記イネーブルした隣接する装置に対して利用可能なチャネルのデータベースにアクセスすることと、
前記利用可能なチャネルの表示を前記隣接する装置に送信することとを含む方法。
［１００］
前記利用可能なチャネルは、テレビジョンホワイトスペース（ＴＶＷＳ）において利用可能なチャネルを含む［９９］に記載の方法。
［１０１］
前記利用可能なチャネルの表示は、未使用の周波数スペクトルのマップを含む［９９］に記載の方法。
［１０２］
前記隣接する装置から、前記利用可能なチャネルの前記データベースへのクエリメッセージを受信することをさらに含み、
前記表示を送信することは、前記クエリメッセージに応答して、応答メッセージを送信することを含み、前記応答メッセージは、前記利用可能なチャネルの表示を含む［９９］に記載の方法。
［１０３］
前記クエリメッセージは、ジェネラルアドバタイズメントサービス（ＧＡＳ）フレーム中に含まれている、または、登録ロケーションクエリプロトコル（ＲＬＱＰ）クエリメッセージを含む［１０２］に記載の方法。
［１０４］
前記応答メッセージは、前記利用可能なチャネルの表示と、前記応答メッセージが前記クエリメッセージに応答するものであることを示す情報識別子（ＩＤ）フィールド、前記応答メッセージの残りの部分の長さを示す長さフィールド、前記隣接する装置のアドレス、または、前記装置のアドレスのうちの少なくとも１つとを含み、前記利用可能なチャネルの表示は、セキュリティカプセル化データベース応答メッセージを含む［１０２］に記載の方法。
［１０５］
ビーコンまたは登録ロケーションクエリプロトコル（ＲＬＱＰ）メッセージを送信して、前記装置がデータベースアクセス可能（ＤＢＡＣ）であることを示すことをさらに含む［９９］に記載の方法。
［１０６］
１つ以上のデータベースベンダーに対するデータベースアクセスパラメータまたはプロトコルを示すベンダー固有情報エレメント（ＩＥ）を持つ登録ロケーションクエリプロトコル（ＲＬＱＰ）メッセージを送信することをさらに含む［９９］に記載の方法。
［１０７］
ワイヤレス通信のための装置において、
従属装置としての隣接する装置をイネーブルする手段と、
前記イネーブルした隣接する装置に対して利用可能なチャネルのデータベースにアクセスする手段と、
前記利用可能なチャネルの表示を前記隣接する装置に送信する手段とを具備する装置。
［１０８］
前記利用可能なチャネルは、テレビジョンホワイトスペース（ＴＶＷＳ）において利用可能なチャネルを含む［１０７］に記載の装置。
［１０９］
前記利用可能なチャネルの表示は、未使用の周波数スペクトルのマップを含む［１０７］に記載の装置。
［１１０］
前記隣接する装置から、前記利用可能なチャネルの前記データベースへのクエリメッセージを受信する手段とをさらに具備し、
前記送信する手段は、前記クエリメッセージに応答して、応答メッセージを送信するように構成され、前記応答メッセージは、前記利用可能なチャネルの表示を含む［１０７］に記載の装置。
［１１１］
前記クエリメッセージは、ジェネラルアドバタイズメントサービス（ＧＡＳ）フレーム中に含まれている、または、登録ロケーションクエリプロトコル（ＲＬＱＰ）クエリメッセージを含む［１１０］に記載の装置。
［１１２］
前記応答メッセージは、前記利用可能なチャネルの表示と、前記応答メッセージが前記クエリメッセージに応答するものであることを示す情報識別子（ＩＤ）フィールド、前記応答メッセージの残りの部分の長さを示す長さフィールド、前記隣接する装置のアドレス、または、前記装置のアドレスのうちの少なくとも１つとを含み、前記利用可能なチャネルの表示は、セキュリティカプセル化データベース応答メッセージを含む［１１０］に記載の装置。
［１１３］
前記送信する手段は、ビーコンまたは登録ロケーションクエリプロトコル（ＲＬＱＰ）メッセージを送信して、前記装置がデータベースアクセス可能（ＤＢＡＣ）であることを示すように構成されている［１０７］に記載の装置。
［１１４］
前記送信する手段は、１つ以上のデータベースベンダーに対するデータベースアクセスパラメータまたはプロトコルを示すベンダー固有情報エレメント（ＩＥ）を持つ登録ロケーションクエリプロトコル（ＲＬＱＰ）メッセージを送信するように構成されている［１０７］に記載の装置。
［１１５］
ワイヤレス通信のためのコンピュータプログラムプロダクトにおいて、
コンピュータ読取可能媒体を含み、
前記コンピュータ読取可能媒体は、
装置において、従属装置としての隣接する装置をイネーブルするために実行可能な命令と、
前記イネーブルした隣接する装置に対して利用可能なチャネルのデータベースにアクセスするために実行可能な命令と、
前記利用可能なチャネルの表示を前記隣接する装置に送信するために実行可能な命令とを含むコンピュータプログラムプロダクト。
［１１６］
アクセスポイントにおいて、
少なくとも１本のアンテナと、
従属装置としての隣接する装置をイネーブルし、前記イネーブルした隣接する装置に対して利用可能なチャネルのデータベースにアクセスするように構成されている処理システムと、
前記少なくとも１本のアンテナを介して、前記利用可能なチャネルの表示を前記隣接する装置に送信するように構成されている送信機とを具備するアクセスポイント。
【図１】
0005632090.tif 000002
【図２】
0005632090.tif 000003
【図３】
0005632090.tif 000004
【図４】
0005632090.tif 000005
【図５】
0005632090.tif 000006
【図５Ａ】
0005632090.tif 000007
【図６】
0005632090.tif 000008
【図６Ａ】
0005632090.tif 000009
【図７】
0005632090.tif 000010
【図８】
0005632090.tif 000011
【図９】
0005632090.tif 000012
【図１０】
0005632090.tif 000013
【図１１】
0005632090.tif 000014
【図１２】
0005632090.tif 000015
【図１３】
0005632090.tif 000016
【図１３Ａ】
0005632090.tif 000017
【図１４】
0005632090.tif 000018
【図１４Ａ】
0005632090.tif 000019
【図１５】
0005632090.tif 000020
【図１６】
0005632090.tif 000021
【図１７】
0005632090.tif 000022
【図１８】
0005632090.tif 000023
【図１９】
0005632090.tif 000024
【図２０】
0005632090.tif 000025
【図２１】
0005632090.tif 000026